(57)【要約】【課題】タッチパネル表示装置を備えた信号処理装置において、タッチ領域の周囲の額縁を狭くし、しかもタッチパネルを構成する信号配線とタッチパネル外部の回路基板とを接合した箇所で信号配線が回路基板から外れるといった不具合を解消する。【解決手段】タッチパネル用フレキシブル基板ＦＰＣにおいて、タッチパネル本体５０４のタッチパネル電極部５１４ａを構成する電極、タッチパネル本体５０４の信号配線部５１４ｂを構成する信号配線、及びタッチパネル本体５０４の信号引出部５１４ｃを構成する信号引出線を１つのタッチパネル用導電層５１４により一体に形成した。【選択図】図５
2014071472.tif 000002
【特許請求の範囲】
【請求項１】
タッチ領域を形成する複数の電極を有する電極部と、
該複数の電極に対する信号の印加および該複数の電極からの信号の取出しを行う複数の信号配線を有する信号配線部と、
該信号配線部の信号を処理する回路基板に接続されるように該信号配線を該回路基板に引き出す複数の信号引出線を有する信号引出部と
を備え、
該電極、該信号配線、及び該信号引出線が一体に形成されている、フレキシブル配線基板。
【請求項２】
前記信号引出部は、
前記タッチ領域のタッチ位置を示すタッチ座標を生成するタッチパネルコントローラを実装するコントローラ実装領域を備え、
該信号引出部は、
前記タッチパネルコントローラからの信号が前記回路基板に供給されるように該タッチパネルコントローラの端子を該回路基板に接続するための端子接続線を有する、
請求項１に記載のフレキシブル配線基板。
【請求項３】
非接触給電用コイルとの間で電磁的に結合し、該非接触給電用コイルで生成された電磁波を受けて電力を発生する非接触受電用コイルを備え、
該非接触受電用コイルが、前記電極、前記信号配線、及び前記信号引出線を形成する導体層と同じ導体層により一体に形成されている請求項１または請求項２に記載のフレキシブル配線基板。
【請求項４】
画像表示を行う表示装置と、情報の入力をタッチ操作により行うためのタッチ領域を有し、該タッチ領域上でのタッチ位置を検出するタッチパネルとを備えた情報処理装置であって、
前記タッチパネルは、請求項１から請求項３のいずれか１項に記載のフレキシブル配線基板を備えている、情報処理装置。
【請求項５】
画像表示を行う表示装置と、情報の入力をタッチ操作により行うためのタッチ領域を有し、該タッチ領域上でのタッチ位置を検出するタッチパネルと、該表示装置の表示面と反対の裏面側に設けられたカメラモジュールとを備えた情報処理装置であって、
前記タッチパネルは、
タッチ領域を形成する複数の電極を有する電極部と、
該複数の電極に対する信号の印加および前記複数の電極からの信号の取出しを行う複数の信号配線を有する信号配線部と、
該信号配線部の信号を処理する回路基板に接続されるように該信号配線を該回路基板に引き出す複数の信号引出線を有する信号引出部と
を有し、
非接触給電用コイルとの間で電磁的に結合し、該非接触給電用コイルで生成された電磁波を受けて電力を発生する非接触受電用コイルが、該電極、該信号配線、及び該信号引出線を形成する導体層と同じ導体層により一体に形成されているフレキシブル配線基板を備えている、情報処理装置。
【発明の詳細な説明】
【技術分野】
【０００１】
本発明は、フレキシブル配線基板および情報処理装置に関し、特に、液晶パネルや有機エレクトロルミネッセンスパネルなどの画像表示パネルとタッチパネルとを備えたタッチパネル表示装置に用いるフレキシブル配線基板およびこのようなフレキシブル配線基板を用いたタッチパネル表示装置を備えた情報処理装置に関するものである。
【背景技術】
【０００２】
従来から、携帯電話、携帯情報端末（ＰＤＡ）、デジタルカメラ、マルチメディアプレーヤーなど、多くの携帯型の情報機器の表示装置には、液晶モジュール（液晶表示装置）や有機エレクトロルミネッセンスモジュール（有機ＥＬ表示装置）など薄型化した画像表示装置が利用されている。
【０００３】
また、最近は、情報機器の操作性を高めるためにタッチパネルを備えた画像表示装置が提供されている（特許文献１）。
【０００４】
図１８は、特許文献１に開示の画像表示装置を構成するタッチパネルを示す斜視図である。
【０００５】
このタッチパネルＴＰは、透明基板であるタッチパネル基板ＴＰＳを有し、このタッチパネル基板ＴＰＳの片面には、タッチパネルの電極ＴＰＥが形成されている。タッチパネルＴＰに接続する配線には、フレキシブル印刷回路ＦＰＣを用いている。なお、このフレキシブル印刷回路は、フレキシブルプリント基板あるいはフレキシブル配線基板とも呼ばれ、以下フレキシブルプリント基板という。
【０００６】
ここでは、フレキシブルプリント基板ＦＰＣの一部には、タッチパネルＴＰを駆動するための駆動ＩＣチップＴＰＩＣが実装され、フレキシブルプリント基板ＦＰＣの一端はタッチパネル基板ＴＰＳに接続され、フレキシブルプリント基板ＦＰＣの他端はインターフェース部ＩＦＴとなっている。
【０００７】
図１９は、このようなタッチパネルを有する液晶表示装置の一例を示す断面図である。
【０００８】
この液晶表示装置５０は、タッチパネルＴＰと液晶パネルＬＣＰとを有し、タッチパネルＴＰと液晶パネルＬＣＰとはタッチパネルＴＰが表面側に位置するように上下に重ねて配置されている。また、液晶パネルＬＣＰとタッチパネルＴＰとは透明樹脂層（図示せず）を挟んで密着するように配置されている。
【０００９】
この液晶表示装置５０では、タッチパネルＴＰの上側には、液晶パネルＬＣＰやタッチパネルＴＰを保護するフロントパネルＦＷが設けられている。
【００１０】
ここで、タッチパネルＴＰを構成するタッチパネル基板ＴＰＳには、フレキシブルプリント基板ＦＰＣｔが、ＦＯＧ圧着（つまり異方性導電フィルムを用いた加熱圧着）により接合されており、このフレキシブルプリント基板ＦＰＣｔの一部には、タッチパネルＴＰを駆動するための駆動ＩＣチップＴＰＩＣが実装されている。なお、図１８中、ＦＯＧは、タッチパネル基板ＴＰＳとフレキシブルプリント基板ＦＰＣｔとの接合部である。
【００１１】
また、液晶パネルＬＣＰは、薄膜トランジスタなどの回路素子が形成されているＴＦＴ基板ＴＦＴＳと、カラーフィルタが形成されているカラーフィルタ基板（対向基板）ＣＦＳとを有し、ＴＦＴ基板ＴＦＴＳとカラーフィルタ基板（対向基板）ＣＦＳとは対向するように配置されている。ＴＦＴ基板ＴＦＴＳとカラーフィルタ基板ＣＦＳとの間の領域はシール材ＳＨにより密閉されており、これらの基板の間の領域には液晶ＬＣが充填されている。ＴＦＴ基板ＴＦＴＳの裏面側には下側偏光板ＳＰＰを介してバックライトユニットＢＬＵが設けられており、カラーフィルタ基板ＣＦＳの上面側には上側偏光板ＵＰＰが設けられている。さらにＴＦＴ基板ＴＦＴＳの、カラーフィルタ基板ＣＦＳの外側に位置する部分には、液晶パネルを駆動するドライバチップＤＲＣが設けられており、ＴＦＴ基板ＴＦＴＳの一端には接合部ＦＯＧにより別のフレキシブルプリント基板ＦＰＣｄが接続されている。
【００１２】
このようにタッチパネルＴＰを備えた液晶表示装置５０では、タッチパネルＴＰと液晶パネルＬＣＰとは近接させて配置されるため、狭い空間に多くの配線が存在することとなり、液晶表示装置を薄型化することは難しくなっている。
【００１３】
また、タッチパネルを用いた有機ＥＬ表示装置においても、配線の配置スペースを確保する必要があるため、液晶表示装置と同様に薄型化が難しくなってきている。
【００１４】
また、特許文献１には、液晶表示装置において、上記のように近接させて配置される液晶パネルＬＣＰとタッチパネルＴＰとを配線により接続するのに、部品点数や接続工程を削減するために１枚のフレキシブルプリント基板を用い、しかも、この場合の課題、つまり液晶パネルＬＣＰとタッチパネルＴＰの距離が近いことから液晶パネルＬＣＰやタッチパネルＴＰに対してフレキシブルプリント基板を精度よく接合するのが困難であり、また、一方のパネルにフレキシブルプリント基板をＦＯＧ圧着で接合した後、他方のパネルにフレキシブルプリント基板を接合する際、ＦＯＧ圧着による熱の影響で、先に接合した部分が外れるといった課題に対して対策を講じたものが開示されている。
【００１５】
図２０は、このような液晶表示装置を説明する断面図であり、図中、図１９と同一符号は同一のものを示している。
【００１６】
この液晶表示装置５０ａは、図１９に示す液晶表示装置５０と同様に、液晶パネルＬＣＰと、この液晶パネルＬＣＰの前面（紙面上側）に配置されるタッチパネルＴＰとを有している。この液晶表示装置５０ａでは、液晶パネルＬＣＰとタッチパネルＴＰとが１枚のフレキシブルプリント基板ＦＰＣ０により接続されている。
【００１７】
具体的には、液晶パネルＬＣＰのＴＦＴ基板ＴＦＴＳおよびタッチパネルＴＰの透明なタッチパネル基板ＴＰＳにフレキシブルプリント基板ＦＰＣ０を接合するのに、上述の異方性導電フィルムを用いている。この異方性導電フィルムは、熱硬化性樹脂に、表面を絶縁層で被覆した金属粒子を混ぜ合わせたものである。この異方性導電フィルムをフレキシブルプリント基板の電極部分と電子部品（液晶パネルやタッチパネル）の電極との間に挟んで加熱しながら加圧することで、異方性導電フィルムの、フレキシブルプリント基板や電子部品の電極が接触する部分のみに圧力がかかり、フレキシブルプリント基板の電極と電子部品の電極との間に導電性経路が形成され、異方性導電フィルムの、圧力がかからなかった部分では絶縁性が保持される。
【００１８】
また、この液晶表示装置５０ａでは、フレキシブルプリント基板ＦＰＣ０を液晶パネルＬＣＰのＴＦＴ基板ＴＦＴＳに接合するための異方性導電フィルムには、フレキシブルプリント基板ＦＰＣ０をタッチパネルの基板ＴＰＳに接合するための異方性導電フィルムに比べて、異方性導電フィルムを構成する樹脂のガラス転移温度が高いものを用い、さらに、１枚のフレキシブルプリント基板ＦＰＣ０により液晶パネルＬＣＰとタッチパネルＴＰとを接続する工程では、最初にフレキシブルプリント基板ＦＰＣ０の一端を液晶パネルＬＣＰのＴＦＴ基板ＴＦＴＳにＦＯＧ圧着により接続し、その後、フレキシブルプリント基板ＦＰＣ０の他端をタッチパネルＴＰの透明基板ＴＰＳにＦＯＧ圧着により接続している。
【００１９】
このように先に行うフレキシブルプリント基板ＦＰＣ０と液晶パネルＬＣＰとの接合には、ガラス転移温度の高い異方性導電フィルムを用い、後から行うフレキシブルプリント基板ＦＰＣ０とタッチパネルＰＴとの接合には、ガラス転移温度の低い異方性導電フィルムを用いるので、後から行うフレキシブルプリント基板ＦＰＣ０とタッチパネルＴＰとの接合時にそのＦＯＧ圧着による熱の影響により、先に接続したフレキシブルプリント基板ＦＰＣ０と液晶パネルＬＣＰとの接合が外れにくくなる。つまり、タッチパネルＴＰとＴＦＴ基板ＴＦＴＳとをフレキシブルプリント基板により接続する際に、先に接続したフレキシブルプリント基板ＦＰＣ０と液晶パネルＬＣＰとの接合が外れるのを抑制するようにしている。
【００２０】
また、接続配線のピッチ間隔が狭い液晶パネルにフレキシブルプリント基板を接続する状態では、フレキシブルプリント基板にはタッチパネルが接続されていないので、タッチパネルに邪魔されずに両者の接合を高い精度で行うことができ、タッチパネルにフレキシブルプリント基板を接続する時には、フレキシブルプリント基板に接続されている液晶パネルが接合作業の邪魔になるが、タッチパネルの接続配線のピッチ間隔は液晶パネルより広いので、多少のずれが発生しても接続不良となることはない。
【００２１】
なお、図２０中、ＦＯＧ１は、フレキシブルプリント基板ＦＰＣ０の一端とＴＦＴ基板ＴＦＴＳとのＦＯＧ圧着により形成された接合部を示し、ＦＯＧ２は、フレキシブルプリント基板ＦＰＣ０の他端とタッチパネルＴＰの透明基板ＴＰＳとのＦＯＧ圧着により形成された接合部を示している。
【先行技術文献】
【特許文献】
【００２２】
【特許文献１】特開２０１２−９３４９８号公報
【発明の概要】
【発明が解決しようとする課題】
【００２３】
上述しように特許文献１には、液晶パネルＬＣＰとタッチパネルＴＰとに別々のフレキシブルプリント基板を接続した構造、また、液晶パネルＬＣＰとタッチパネルＴＰとを１枚のフレキシブルプリント基板ＦＰＣ０により接続した構造が開示されているが、いずれにしても、タッチパネルを外部回路基板、つまり液晶パネルのＴＦＴ基板に接続するためには、フレキシブルプリント基板とタッチパネルＴＰの透明なタッチパネル基板ＴＰＳとを接続する必要があり、両者を接続するための接続領域や作業工数が必要となる。
【００２４】
また、液晶パネルなどの画像表示パネルでは、表示品質の高画質化やパネルの大型化に伴い、画像信号の信号線の数が増加傾向にあり、タッチパネルにおける対応するタッチ座標の情報量も増大する傾向にあり、従って、フレキシブルプリント基板とタッチパネルＴＰとの接続領域の面積を増やすなどの対応が必要となり、タッチパネルを備えた画像表示装置における額縁部、つまりタッチ領域の周囲の筐体部分などタッチ入力ができない部分を狭くできないという課題がある。
【００２５】
また、近年の携帯型の情報機器では、タッチパネルの搭載に伴う大型化により一次電池が消耗しやすくなっているが、大容量の一次電池を搭載しようとすると、薄型化が阻害されるといった問題もある。
【００２６】
本発明は、上記のような問題点を解決するためになされたものであり、タッチパネルとフレキシブル配線基板との間での接続部分を無くして、これらの間での接続不良の問題を解消するとともに、タッチ領域の周囲のタッチ入力ができない額縁部を狭くすることができるフレキシブル配線基板およびこのようなフレキシブル配線基板を用いたタッチパネル表示装置を備えた情報処理装置を実現することを目的とする。
【００２７】
また、本発明は、タッチパネルの搭載に伴う一次電池の消耗を抑制することができ、薄型化の阻害要因となる一次電池の容量増大を回避しつつ一次電池の電力不足を補うことができる情報処理装置を得ることを目的とする。
【課題を解決するための手段】
【００２８】
本発明に係るフレキシブル配線基板は、タッチ領域を形成する複数の電極を有する電極部と、該複数の電極に対する信号の印加および該複数の電極からの信号の取出しを行う複数の信号配線を有する信号配線部と、該信号配線部の信号を処理する回路基板に接続されるように該信号配線を該回路基板に引き出す複数の信号引出線を有する信号引出部とを備え、該電極、該信号配線、及び該信号引出線が一体に形成されており、そのことにより上記目的が達成される。
【００２９】
本発明は、上記フレキシブル配線基板において、前記信号引出部は、前記タッチ領域のタッチ位置を示すタッチ座標を生成するタッチパネルコントローラを実装するコントローラ実装領域を備え、該信号引出部は、前記タッチパネルコントローラからの信号が前記回路基板に供給されるように該タッチパネルコントローラの端子を該回路基板に接続するための端子接続線を有することが好ましい。
【００３０】
本発明は、上記フレキシブル配線基板において、非接触給電用コイルとの間で電磁的に結合し、該非接触給電用コイルで生成された電磁波を受けて電力を発生する非接触受電用コイルを備え、該非接触受電用コイルが、前記電極、前記信号配線、及び前記信号引出線を形成する導体層と同じ導体層により一体に形成されていることが好ましい。
【００３１】
本発明に係る情報処理装置は、画像表示を行う表示装置と、情報の入力をタッチ操作により行うためのタッチ領域を有し、該タッチ領域上でのタッチ位置を検出するタッチパネルとを備えた情報処理装置であって、前記タッチパネルは、上述した本発明に係るフレキシブル配線基板を備えており、そのことにより上記目的が達成される。
【００３２】
本発明に係る情報処理装置は、画像表示を行う表示装置と、情報の入力をタッチ操作により行うためのタッチ領域を有し、該タッチ領域上でのタッチ位置を検出するタッチパネルと、該表示装置の表示面と反対の裏面側に設けられたカメラモジュールとを備えた情報処理装置であって、前記タッチパネルは、タッチ領域を形成する複数の電極を有する電極部と、該複数の電極に対する信号の印加および前記複数の電極からの信号の取出しを行う複数の信号配線を有する信号配線部と、該信号配線部の信号を処理する回路基板に接続されるように該信号配線を該回路基板に引き出す複数の信号引出線を有する信号引出部とを有し、非接触給電用コイルとの間で電磁的に結合し、該非接触給電用コイルで生成された電磁波を受けて電力を発生する非接触受電用コイルが、該電極、該信号配線、及び該信号引出線を形成する導体層と同じ導体層により一体に形成されているフレキシブル配線基板を備えており、そのことにより上記目的が達成される。
【００３３】
次に作用について説明する。
【００３４】
本発明においては、フレキシブル配線基板において、タッチ領域を形成する複数の電極を有する電極部と、該複数の電極に対する信号の印加および該複数の電極からの信号の取出しを行う複数の信号配線を有する信号配線部と、該信号配線部の信号を処理する回路基板に接続されるように該信号配線を該回路基板に引き出す複数の信号引出線を有する信号引出部とを備え、該電極、該信号配線、及び該信号引出線を一体に形成しているので、タッチパネルとフレキシブル配線基板との間での接続部分が無くなり、これにより信号配線と信号引出線との接続部分が一体構造となり、これらの間での接続不良の問題を解消するとともに、タッチ領域の周囲のタッチ入力ができない額縁部を狭くすることができる。
【００３５】
本発明においては、上記フレキシブル配線基板において、非接触給電用コイルとの間で電磁的に結合し、該非接触給電用コイルで生成された電磁波を受けて電力を発生する非接触受電用コイルを備え、該非接触受電用コイルを、電極、信号配線、及び信号引出線とともに一体に形成しているので、情報処理装置の外部からの無線給電により、タッチパネルの搭載に伴う一次電池の消耗を抑制することができ、薄型化の阻害要因となる一次電池の容量増大を回避しつつ一次電池の電力不足を補うことができる。
【発明の効果】
【００３６】
以上のように、本発明によれば、タッチパネルとフレキシブル配線基板との間での接続部分を無くして、これらの間での接続不良の問題を解消するとともに、タッチ領域の周囲のタッチ入力ができない額縁部を狭くすることができるフレキシブル配線基板およびこのようなフレキシブル配線基板を用いたタッチパネル表示装置を備えた情報処理装置を実現することができる。
【００３７】
また、本発明によれば、タッチパネルの搭載に伴う一次電池の消耗を抑制することができ、薄型化の阻害要因となる一次電池の容量増大を回避しつつ一次電池の電力不足を補うことができる情報処理装置を実現することができる。
【図面の簡単な説明】
【００３８】
【図１】図１は、本発明の実施形態１による情報処理装置を説明する図であり、図１（ａ）は、この情報処理装置の外観を示し、図１（ｂ）は、この情報処理装置の信号処理システムの構成を示している。
【図２】図２は、本発明の実施形態１による情報処理装置を説明する図であり、図２（ａ）は、この情報処理装置を構成するタッチパネル表示装置の構成を示し、図２（ｂ）は、このタッチパネル表示装置におけるタッチパネル表示部の構造を概念的に示している。
【図３】図３は、本発明の実施形態１による情報処理装置を説明する図であり、この情報処理装置を構成する周辺機器（図３（ａ））およびメモリ（図３（ｂ））の構成を示している。
【図４】図４は、本発明の実施形態１による情報処理装置を説明する図であり、この情報処理装置を構成するタッチパネル表示装置におけるタッチパネルの構成を示している。
【図５】図５は、本発明の実施形態１による情報処理装置を説明する図であり、図５（ａ）は、この情報処理装置を構成するタッチパネル表示装置の断面構造を示し、図５（ｂ）は、このタッチパネル表示装置に用いるタッチパネル用フレキシブル基板の構成を示している。
【図６】図６は、本発明の実施形態１による情報処理装置を説明する図であり、図５（ｂ）に示すタッチパネル用フレキシブル基板の電極および配線の構造を示している。
【図７】図７は、本発明の実施形態１による情報処理装置を構成するタッチパネル表示装置を説明する図であり、図７（ａ）は、第１の電極ラインと第２の電極ラインとの交差部分（図６のＡ２部分）を示し、図７（ｂ）は、第１の電極ラインと第４の電極ラインとの交差部分（図６のＢ２部分）を示し、図７（ｃ）は、第１の電極ラインと第２の電極ラインとの交差部分（図７のＣ２−Ｃ２’線部分）の断面構造を示している。
【図８Ａ】図８Ａは、本発明の実施形態１の変形例１による情報処理装置を説明する図であり、この情報処理装置におけるタッチパネル用フレキシブル基板をＴＦＴ基板と制御回路用基板に接続した構成を示している。
【図８Ｂ】図８Ｂは、本発明の実施形態１の変形例２による情報処理装置を説明する図であり、この情報処理装置におけるタッチパネル用フレキシブル基板を制御回路用基板にのみ接続した構成を示している。
【図８Ｃ】図８Ｃは、本発明の実施形態１の変形例３による情報処理装置におけるタッチパネル用フレキシブル基板をＴＦＴ基板にのみ接続した構成を示している。
【図９】図９は、本発明の実施形態１の変形例２による情報処理装置を説明する図であり、図８Ｂに示す情報処理装置を構成するタッチパネル表示装置で用いるタッチパネル用フレキシブル基板の電極および配線の構造を示している。
【図１０】図１０は、本発明の実施形態２による情報処理装置を説明する図であり、図１０（ａ）は、この情報処理装置の外観を示し、図１０（ｂ）は、この情報処理装置の信号処理システムの構成を示している。
【図１１】図１１は、本発明の実施形態２による情報処理装置に用いる無線給電システムを説明する図であり、図１１（ａ）は、無線給電システムを構成する非接触給電部を示し、図１１（ｂ）は、無線給電システムを構成する非接触受電部を示している。
【図１２】図１２は、本発明の実施形態２による情報処理装置を説明する図であり、図１２（ａ）は、この情報処理装置の断面構造を示し、図１２（ｂ）は、この情報処理装置を構成するタッチパネル表示装置で用いるタッチパネル用フレキシブル基板の構成を示している。
【図１３】図１３は、本発明の実施形態２の変形例１および２による情報処理装置を説明する図であり、図１３（ａ）は、この実施形態２の変形例１による情報処理装置の断面構造を示し、図１３（ｂ）は、実施形態２の変形例２による情報処理装置を構成するタッチパネル表示装置で用いるタッチパネル用フレキシブル基板の構成を示している。
【図１４】図１４は、本発明の実施形態２の変形例３による情報処理装置を説明する図であり、図１４（ａ）は、この情報処理装置の断面構造を示し、図１４（ｂ）は、この情報処理装置を構成するタッチパネル表示装置で用いるタッチパネル用フレキシブル基板の構成を示している。
【図１５】図１５は、本発明の実施形態２の変形例４による情報処理装置を説明する図であり、この情報処理装置で用いる無線給電システムの非接触給電部（図１５（ａ））および非接触受電部（図１５（ｂ））を示している。
【図１６】図１６は、本発明の実施形態２の変形例５による情報処理装置を説明する図であり、この情報処理装置で用いる無線給電システムの非接触給電部（図１６（ａ））および非接触受電部（図１６（ｂ））を示している。
【図１７】図１７は、本発明の実施形態２の変形例６による情報処理装置を説明する図であり、この情報処理装置で用いる無線給電システムの非接触給電部（図１７（ａ））および非接触受電部（図１７（ｂ））を示している。
【図１８】図１８は、特許文献１に開示の画像表示装置を構成するタッチパネルを示す斜視図である。
【図１９】図１９は、タッチパネルを有する従来の液晶表示装置の一例を示す断面図である。
【図２０】図２０は、特許文献１に開示の他の液晶表示装置を説明する断面図である。
【発明を実施するための形態】
【００３９】
以下、本発明の実施形態について図面を参照しながら説明する。
【００４０】
（実施形態１）
図１は、本発明の実施形態１による情報処理装置を説明する図であり、図１（ａ）は、この情報処理装置の外観を示し、図１（ｂ）は、この情報処理装置の信号処理システムの構成を示している。図２は、この情報処理装置を構成するタッチパネル表示装置を説明する図であり、図２（ａ）は、このタッチパネル表示装置の構成を機能ブロックで示し、図２（ｂ）は、このタッチパネル表示装置におけるタッチパネル表示部の構造を概念的に示している。図３は、この情報処理装置を構成する周辺機器の構成（図３（ａ））およびメモリの構成（図３（ｂ））を示している。
【００４１】
まず、本実施形態１の情報処理装置１０００の基本構成について説明する。
【００４２】
この情報処理装置１０００は、操作者による表示画面上でのタッチ操作が可能な携帯型の電子機器であり、ネットワーク上の情報処理端末として機能するものである。具体的には、この情報処理装置１０００は、タッチパネルを搭載した情報機器、即ち、携帯電話、タブレット型情報端末、パーソナルコンピュータであり、これらの情報機器は、無線通信回線と共に活用するＷＥＢカメラを含むカメラユニットが搭載されている。ただし、この情報処理装置１０００は、ネットワークには繋がっていない電子辞書などの携帯用の電子情報機器などでもよい。
【００４３】
図１（ａ）に示すようにこの情報処理装置１０００の筐体１００ａには、タッチ操作による情報の入力が可能なタッチパネル表示部１００が装着されており、この筐体１００ａの、タッチパネル表示部１００の周縁に位置する部分は、タッチ操作による情報入力ができない額縁部１００ｂとなっている。
【００４４】
このタッチパネル表示部１００は、図２（ｂ）に示すように、画像を表示する画像表示面５０５１を有する表示部５０５と、操作者がタッチ操作を行うためのタッチ操作面５０４１を有するタッチパネル本体５０４とを組み合わせたものであり、表示部５０５の画像表示面５０５１にタッチパネル本体５０４のタッチ領域を構成するタッチ操作面５０４１が重ねて配置されている。
【００４５】
なお、以下では、説明の簡略化のため、表示部５０５の画像表示面５０５１およびタッチパネル本体５０４のタッチ操作面５０４１をそれぞれ、単にタッチパネル表示部１００の画像表示面およびタッチ操作面ともいう。
【００４６】
また、この情報処理装置１０００の信号処理システムは、コンピュータシステムとして構成されており、この情報処理装置１０００は、図２（ａ）および図１（ｂ）に示すように表示部５０５とタッチパネル本体５０４とを組み合わせたタッチパネル表示部１００を含み、種々のタッチ操作キーの画像をタッチパネル表示部１００の画像表示面に表示するタッチパネル表示装置５００を有している。
【００４７】
また、この情報処理装置１０００は、図１（ｂ）に示すように、周辺機器５３０と、各種データを記憶するメモリ５２９と、システム制御部５２１とを有しており、システム制御部５２１は、タッチパネル表示装置５００、周辺機器５３０およびメモリ５２９にデータバス５０３を介して接続されている。
【００４８】
また、この情報処理装置１０００は、タッチパネル表示装置５００、周辺機器５３０、メモリ５２９、およびシステム制御部５２１に電力を供給する電源部５４２を有しており、この電源部５４２は、一次電池としてのリチウム電池を搭載している。
【００４９】
以下、この情報処理装置１０００の信号処理システムを構成する各部の構成についてより詳しく説明する。
【００５０】
〔タッチパネル表示装置５００〕
図２は、タッチパネル表示装置５００の構成を示している。
【００５１】
このタッチパネル表示装置５００は、図２に示すように、タッチ操作を行うためのタッチ操作面５０４１を有するタッチパネル本体５０４と、このタッチ操作面５０４１と重なるようその下側に配置された画像表示面５０５１を有する表示部５０５と、タッチパネル本体５０４を駆動制御するタッチパネル制御回路５０６と、表示部５０５にて画像表示が行われるよう表示部５０５を制御する表示制御部５０７とを備え、この画像表示面５０５１に表示した操作ボタンに対する情報入力をタッチ操作面５０４１上でのタッチ操作により行うよう構成したものであり、タッチパネル表示装置５００のタッチパネル本体５０４と表示部５０５とが上記筐体１００ａに取り付けられて上記タッチパネル表示部１００を形成している。ここで、タッチパネル本体５０４とタッチパネル制御回路５０６とによりタッチパネル５５０が構成されており、表示部５０５と表示制御部５０７とにより表示装置５６０が構成されている。
【００５２】
（タッチパネル本体５０４）
ここで、タッチパネル本体５０４は、そのタッチ操作面５０４１を構成する部分が光透過性を有するものであり、タッチ操作面５０４１が表示部５０５の画像表示面５０５１上に重なって位置し、表示部５０５の画像表示面５０５１の、タッチ操作による接触点の座標が静電容量方式によってタッチ位置として検出されるように構成されている。このタッチパネル本体５０４は複数のタッチ位置を同時に検知可能なものが望ましいが、複数タッチに対応していなくてもよい。タッチパネル本体５０４で生成されたセンス信号はタッチパネル制御回路５０６で処理されてタッチ位置を示すタッチ位置情報として出力される。
【００５３】
つまり、タッチパネル本体５０４およびタッチパネル制御回路５０６は静電容量方式の位置入力装置（つまり静電容量方式タッチパネル）を構成しており、透明性基材に形成されたマトリクス状電極構造、例えば複数の行電極（ドライブライン）と複数の列電極（センスライン）とを立体的に交差させた構造における交差部での静電容量の変化を検出するものであり、また、表示部５０５の画像表示面５０５１上にはタッチパネル本体５０４のタッチ操作面５０４１が重ねられており、従って、画像表示面５０５１に表示された操作ボタンの画像上をタッチすることにより入力操作を行うことができる。ここで、ドライブラインは行方向に並ぶ複数の電極を接続してなるものであり、センスラインは列方向に並ぶ複数の電極を接続してなるものである。
【００５４】
（タッチパネル制御回路５０６）
タッチパネル制御回路５０６は、タッチパネル本体５０４にそのドライブ信号を供給するとともに、タッチパネル本体５０４で検出されたセンス信号を受け取り、このセンス信号に基づいて、タッチ位置を示すタッチ位置情報、タッチの強さ、およびタッチの大きさを含むタッチ情報を出力するものであり、このタッチパネル制御回路５０６からのタッチ位置情報はデータバス５０３を介してシステム制御部５２１に供給される。
【００５５】
（タッチパネル）
図４は、タッチパネル本体５０４およびタッチパネル制御回路５０６を含むタッチパネル５５０を説明する図である。
【００５６】
このタッチパネル５５０を構成するタッチパネル本体５０４は、フィルム状透明基板（ここでは、フレキシブルプリント基板）の透明性基材上に水平方向に沿って配置された複数のドライブラインＤＬと、複数のドライブラインＤＬと交差するように垂直方向に沿って配置された複数のセンスラインＳＬとを有しており、ドライブラインＤＬとセンスラインＳＬとは、その交差部Ｘでは絶縁膜により絶縁されており、この交差部Ｘでの容量の変化に基づいてタッチ位置を検出可能な構成となっている。
【００５７】
また、このタッチパネル５５０を構成するタッチパネル制御回路５０６は、ドライブラインＤＬに駆動信号を印加するドライブライン駆動部１１０と、センスラインＳＬからのセンス信号を検出してタッチ位置を算出するセンスライン検知部１２０と、センスライン検知部１２０からの出力信号に基づいてドライブライン駆動部１１０およびセンスライン検知部１２０を制御する制御部１３０とを有している。
【００５８】
このセンスライン検知部１２０は、センスラインＳＬからのセンス信号を増幅する増幅回路１２１と、この増幅回路１２１で増幅されたセンス信号を順次選択して出力する信号選択部１２２と、この信号選択部１２２で選択されたセンス信号をＡＤ変換するＡ／Ｄ変換部１２３とを有している。
【００５９】
センスライン検知部１２０は、このＡ／Ｄ変換部１２３から出力されたデジタルセンス信号のうち、タッチパネル本体５０４のタッチ領域の端部に位置する電極ラインから得られたものを検出し、検出したデジタルセンス信号にこれが端部の電極ラインからのものであることを示す情報を付加して出力する端部検出部１２６ａと、タッチパネル本体５０４のタッチ領域の端部に位置する電極ラインから得られたデジタルセンス信号を、端部以外の電極ラインから得られたデジタルセンス信号と同じ信号レベルとなるよう補正するタッチレベル補正処理部１２６ｂとを有している。
【００６０】
センスライン検知部１２０は、このタッチレベル補正処理部１２６ｂから出力されたデジタルセンス信号を復号化して、隣接する電極間の静電容量値を示す容量情報（具体的には、タッチ操作面（タッチ領域）５０４１における静電容量値の分布情報）を出力する復号処理部１２４と、この容量情報に基づいてタッチ位置を検出してタッチ位置を示す座標情報を算出するタッチ位置算出部１２５とを有している。
【００６１】
なお、ここでは、ドライブライン駆動部１１０は、ドライブラインＤＬに順次駆動信号を印加する構成としているが、ドライブライン駆動部１１０は、複数のドライブラインＤＬに対して、独立した複数の符号列に対応した複数系列の駆動信号を一斉に印加する構成としてもよく、その場合は、復号処理部１２４では、複数のセンスラインからの複数のセンス信号の復号化処理は、ドライブライン駆動部１１０の複数の駆動信号に対応した複数の符号列に基づいて行われる。
【００６２】
図５は、本発明の実施形態１による情報処理装置を説明する図であり、図５（ａ）は、この情報処理装置の断面構造を示し、図５（ｂ）は、この情報処理装置を構成するタッチパネル表示装置に用いるフレキシブル配線基板（以下、タッチパネル用フレキシブル基板という。）の構成を示している。
【００６３】
この情報処理装置１０００を構成するタッチパネル表示装置５００は、タッチパネル（ＴＰ）５５０と表示装置（具体的には液晶パネルＬＣＰ）５６０とを有し、タッチパネル５５０と表示装置５６０とはタッチパネル５５０が表面側に位置するように上下に重ねて配置されている。このタッチパネル表示装置５００では、タッチパネル５５０の上側には、表示装置５６０やタッチパネル５５０を保護するフロントパネル（透明カバー部材）ＦＷが設けられている。
【００６４】
ここで、タッチパネル５５０は、タッチパネル用フレキシブル基板ＦＰＣ上に形成したタッチパネル本体５０４と、タッチパネル用フレキシブル基板ＦＰＣ上に実装したタッチパネル制御回路５０６とを有しており、このタッチパネル制御回路５０６は、タッチパネルコントローラＩＣ（ＴＰＩＣ）により構成されている。タッチパネルコントローラＩＣは接合部ＦＯＧによりタッチパネル用フレキシブル基板ＦＰＣに固着されている。ここで、タッチパネル用フレキシブル基板ＦＰＣは可撓性を有しているため、その下側に位置するガラス板（図示せず）により支持されている。
【００６５】
また、表示装置（ＬＣＰ）５６０は、表示部５０５と表示制御部５０７とを有しており、表示部５０５は、薄膜トランジスタなどの回路素子が形成されているＴＦＴ基板ＴＦＴＳと、カラーフィルタが形成されているカラーフィルタ基板（対向基板）ＣＦＳとを有し、ＴＦＴ基板ＴＦＴＳとカラーフィルタ基板ＣＦＳとは対向するように配置されている。ＴＦＴ基板ＴＦＴＳとカラーフィルタ基板ＣＦＳとの間の領域はシール材ＳＨにより密閉されており、これらの基板の間の領域には液晶ＬＣが充填されている。ＴＦＴ基板ＴＦＴＳの裏面側には下側偏光板ＳＰＰを介してバックライトユニットＢＬＵが設けられており、カラーフィルタ基板ＣＦＳの上面側には上側偏光板ＵＰＰが設けられている。さらにＴＦＴ基板ＴＦＴＳの、カラーフィルタ基板ＣＦＳの外側に位置する部分には、表示部５０５を駆動する表示制御部５０７としてのドライバチップＤＲＣが実装されており、ＴＦＴ基板ＴＦＴＳの一端にはＦＯＧ圧着による接合部ＦＯＧによりタッチパネル用フレキシブル基板ＦＰＣの一端の接続領域５３４が接続されている。ここで、ドライバチップＤＲＣは、ＦＯＧ圧着による接合部ＦＯＧによりＴＦＴ基板ＴＦＴＳに固着されている。
【００６６】
タッチパネル本体５０４は、タッチ操作により生じたタッチ信号を静電容量型タッチパネルの外部の回路基板に供給するタッチパネル用導体層５１４を有し、このタッチパネル用導体層５１４は、タッチパネル用フレキシブル基板ＦＰＣ上に形成されている。
【００６７】
このタッチパネル用導体層５１４は、タッチ領域を形成する複数の電極を有するタッチパネル電極部（ＴＰＥＰ）５１４ａと、これらの複数の電極に対する信号の印加および複数の電極からの信号の取出しを行う複数の信号配線を有するタッチ信号配線部５１４ｂと、複数の信号配線が静電容量型タッチパネル５５０の外部に設けられているＴＦＴ基板ＴＦＴＳに接続されるように信号配線をＴＦＴ基板ＴＦＴＳに引き出す複数の信号引出線を有するタッチ信号引出部５１４ｃとを含み、電気的に接続される電極、信号配線および信号引出線は一体に形成されている。
【００６８】
以下、タッチパネル用フレキシブル基板ＦＰＣについて詳しく説明する。
【００６９】
図６は、本発明の実施形態１による情報処理装置を説明する図であり、図５（ｂ）に示すタッチパネル用フレキシブル基板ＦＰＣの電極および配線の構造を示している。
【００７０】
タッチパネル用フレキシブル基板ＦＰＣの透光性基材（例えばポリイミド膜）３（図６および図７（ｃ）参照）のタッチ操作側面には、タッチ領域１０１が形成されるよう、タッチ操作を検知する所定の平面パターンを有する単位検知部１５〜１８が行列状に配列されている。ここでは、これらの単位検知部１５〜１８は、タッチパネル５５０のタッチパネル本体５０４を構成しており、このタッチパネル本体５０４におけるタッチ領域１０１の最外周に位置する単位検知部である最外周単位検知部１７および１８の平面パターンを、タッチパネル部５０４における最外周単位検知部以外の単位検知部である内側単位検知部１５および１６の平面パターンとは異なるパターンとし、タッチ領域１０１の側辺に沿って並ぶ複数の最外周単位検知部１７および１８を側辺毎に電気的に接続している。
【００７１】
具体的には、内側単位検知部１５および１６の平面パターンは、内側単位検知部の配列方向と平行な線を対称軸とする線対称な形状であり、内側単位検知部１５および１６は、光透過性の導電材料（例えば、ＩＴＯ膜）からなる菱形形状の電極（以下、菱形電極ともいう。）である。また、最外周単位検知部１７および１８の平面パターンは、内側単位検知部（菱形電極）１５および１６の平面パターンの対称軸で切断して得られる形状にその切断部分に合わせてこの対称軸と同じ長さの帯状形状を接合した形状であり、最外周単位検知部１７および１８は、光透過性の導電材料からなる三角形形状の電極（以下、三角電極ともいう。）である。この三角電極１７および１８は上記菱形電極１５および１６の略半分の面積を有している。
【００７２】
そして、タッチ領域１０１では、第１の方向Ｘに並ぶ菱形電極１５を電気的に接続してなる第１の方向Ｘに延びる第１の電極ライン１１ａ〜１１ｆが、第１の方向Ｘと直交する第２の方向Ｙに配列されており、また、第２の方向Ｙに並ぶ菱形電極１６を電気的に接続してなる第２の方向Ｙに延びる第２の電極ライン１２ａ〜１２ｄが第１の方向Ｘに配列されている。
【００７３】
ここで、第１の電極ライン１１ａ〜１１ｆを構成する隣接する４つの菱形電極１５に囲まれた隙間領域には、第２の電極ライン１２ａ〜１２ｄを構成する菱形電極１６が位置している。また、第２の電極ライン１２ａ〜１２ｄを構成する隣接する４つの菱形電極１６に囲まれた隙間領域には、第１の電極ライン１１ａ〜１１ｆを構成する菱形電極１５が位置している。つまり、隣接する異なる電極ラインの菱形電極１５および１６はこれらの間に静電容量が形成されるよう配置されている。
【００７４】
また、タッチ領域１０１の第１の方向Ｘに平行な両側辺部分には、第１の方向Ｘに沿って並ぶ三角電極１７を電気的に接続してなる第１の方向Ｘに延びる第３の電極ライン１３ａおよび１３ｂが配置されており、タッチ領域１０１の第２の方向Ｙに平行な両側辺部分には、第２の方向Ｙに沿って並ぶ三角電極１８を電気的に接続してなる第２の方向Ｙに延びる第４の電極ライン１４ａおよび１４ｂが配置されている。
【００７５】
ここで、第１の電極ライン１１ａ〜１１ｆおよび第３の電極ライン１３ａおよび１３ｂの一端側の菱形電極１５および三角電極１７とタッチ領域１０１の周縁との間の隙間には、第４の電極ライン１４ａを構成する三角電極１８が位置し、第１の電極ライン１１ａ〜１１ｆおよび第３の電極ライン１３ａおよび１３ｂの他端側の菱形電極１５および三角電極１７とタッチ領域１０１の周縁との間の隙間には、第４の電極ライン１４ｂを構成する三角電極１８が位置している。また、第２の電極ライン１２ａ〜１２ｄおよび第４の電極ライン１４ａおよび１４ｂの一端側の菱形電極１６および三角電極１８とタッチ領域１０１の周縁との間の隙間には、第３の電極ライン１３ａを構成する三角電極１７が位置し、第２の電極ライン１２ａ〜１２ｆおよび第４の電極ライン１４ａおよび１４ｂの他端側の菱形電極１６および三角電極１８とタッチ領域１０１の周縁との間の隙間には、第３の電極ライン１３ｂを構成する三角電極１７が位置している。つまり、タッチ領域１０１の側縁部においても、隣接する異なる電極ラインの菱形電極１５および三角電極１７と、菱形電極１６および三角電極１８とは、これらの間に静電容量が形成されるよう配置されている。
【００７６】
また、第１の電極ライン１１ａ〜１１ｆ、第２の電極ライン１２ａ〜１２ｄ、第３の電極ライン１３ａ〜１３ｂ、および第４の電極ライン１４ａ〜１４ｂは、透光性基材３の同一面上に同一導電層により形成されている。このため、第１の電極ライン１１ａ〜１１ｆおよび第３の電極ライン１３ｂは、第２の電極ライン１２ａ〜１２ｄおよび第４の電極ライン１４ａ〜１４ｂに対して、交差部分１９が複数存在する。
【００７７】
そこで、この実施形態１のタッチパネル５５０では、複数の交差部分１９のいずれにおいても、第１の電極ライン１１ａ〜１１ｆおよび第３の電極ライン１３ａ、１３ｂは、隣接する菱形電極１５同士および隣接する三角電極１７同士が、これらの電極を構成する導電層により繋がった構造となっている一方で、第２の電極ライン１２ａ〜１２ｄおよび第４の電極ライン１４ａ、１４ｂは、隣接する菱形電極１６同士、および隣接する三角電極１８同士を分離した構成になっている。
【００７８】
図７は、上記交差部分の構造を説明する図であり、図７（ａ）は、第１の電極ライン１１ａと第２の電極ライン１２ａとの交差部分（図６のＡ２部分）を示し、図７（ｂ）は、第１の電極ライン１１ａと第４の電極ライン１４ｂとの交差部分（図６のＢ２部分）を示し、図７（ｃ）は、第１の電極ライン１１ａと第２の電極ライン１２ａとの交差部分（図７のＣ２−Ｃ２’線部分）の断面構造を示している。
【００７９】
図７（ａ）および図７（ｃ）に示すように、第１の電極ライン１１ａと第２の電極ライン１２ａとの交差部分では、第１の電極ライン１１ａを構成する隣接する菱形電極１５は、この電極を構成する導電層によりつながっており、この菱形電極１５を繋ぐ部分の上側には、透光性の層間絶縁膜４ａが形成されている。また、上記交差部分では、第２の電極ライン１２ａを構成する隣接する菱形電極１６は分離されており、これらの菱形電極１６は、上記層間絶縁膜４ａの上層として形成された透光性の中継導電部材４ｂにより電気的に接続されている。これにより、第２の電極ライン１２ａは、第２の方向Ｙに配列された菱形電極１６が電気的に接続された構造となっている。
【００８０】
図７（ｂ）に示すように、第１の電極ライン１１ａと第４の電極ライン１４ｂとの交差部分では、第１の電極ライン１１ａを構成する菱形電極１５の端部にはこの電極を構成する導電層により配線接続部１５ｂが形成されており、この菱形電極１５の配線接続部１５ｂの上側には、透光性の層間絶縁膜４ａが形成されている。図７（ｂ）に示す交差部分では、第４の電極ライン１４ａを構成する隣接する三角電極１８は分離されており、これらの三角電極１８は、上記層間絶縁膜４ａの上層として形成された透光性の中継導電部材４ｂにより電気的に接続されている。これにより、第４の電極ライン１４ｂは、第２の方向Ｙに配列された三角電極１８が電気的に接続された構造となっている。
【００８１】
なお、第１の電極ライン１１ａと第４の電極ライン１４ａとの交差部分も、図７（ｂ）に示す、第１の電極ライン１１ａと第４の電極ライン１４ｂとの交差部分と同様な構造となっている。また、その他の第１の電極ラインと第２および第４の電極ラインとの交差部分も図７で説明した交差部分の構造と同様の構造となっている。
【００８２】
さらに、タッチパネル用フレキシブル基板ＦＰＣの透光性基材３の、タッチ領域１０１の外側の領域には、第１の電極ライン１１ａ〜１１ｆ及び第３の電極ライン１３ａ、１３ｂに対する信号の印加およびこれらの電極ラインからの信号の取出しを行う複数の信号配線Ｌ１ａ〜Ｌ１ｆ及びＬ３ａ、Ｌ３ｂが形成されており、また、これらの信号配線Ｌ１ａ〜Ｌ１ｆ及びＬ３ａ、Ｌ３ｂは、信号引出線Ｔ１ａ〜Ｔ１ｆ及びＴ３ａ、Ｔ３ｂに接続されており、これらの信号引出線は、該複数の信号配線が該静電容量型タッチパネル５５０の外部に設けられているＴＦＴ基板ＴＦＴＳに接続されるように信号配線をＴＦＴ基板ＴＦＴＳに引き出す配線である。
【００８３】
また、同様に、第２の電極ライン１２ａ〜１２ｄ及び第４の電極ライン１４ａ、１４ｂに対する信号の印加およびこれらの電極ラインからの信号の取出しを行う複数の信号配線Ｌ２ａ〜Ｌ２ｄ及びＬ４ａ、Ｌ４ｂが形成されており、また、これらの信号配線Ｌ２ａ〜Ｌ２ｄ及びＬ４ａ、Ｌ４ｂは、信号引出線Ｔ２ａ〜Ｔ２ｄ及びＴ４ａ、Ｔ４ｂに接続されており、これらの信号引出線は、複数の信号配線が静電容量型タッチパネル５５０の外部に設けられているＴＦＴ基板ＴＦＴＳに接続されるように信号配線をＴＦＴ基板ＴＦＴＳに引き出す配線である。
【００８４】
このタッチパネル本体５０４では、これらの信号引出線Ｔ１ａ〜Ｔ１ｆ及びＴ３ａ、Ｔ３ｂは駆動信号が印加され、また、信号引出線Ｔ２ａ〜Ｔ２ｄ及びＴ４ａ、Ｔ４ｂからはセンス信号が出力されるようになっている。
【００８５】
また、このパネル部５０４では、信号引出線Ｔ１ａ〜Ｔ１ｆ、Ｔ３ａ、Ｔ３ｂ、Ｔ２ａ〜Ｔ２ｄ及びＴ４ａ、Ｔ４ｂの一端側は、信号配線Ｌ１ａ〜Ｌ１ｆ、Ｌ３ａ、Ｌ３ｂ、Ｌ２ａ〜Ｌ２ｄ及びＬ４ａ、Ｌ４ｂと一体に繋がっており、これらの信号引出線の他端側は、タッチパネルコントローラＩＣを実装するＩＣ実装領域（ＴＰＩＣ実装パターン領域）５３３における対応する電極パッド（図示せず）に導体層により一体に接続されている。
【００８６】
また、電気的に接続される電極ラインを構成する複数の電極と信号配線とは、導体層により一体に形成されている。
【００８７】
また、タッチパネル用フレキシブル基板ＦＰＣの透光性基材３の、ＩＣ実装領域５３３より先端側の部分には、外部の回路基板に接続される接続領域５３４が設けられており、透光性基材３におけるＩＣ実装領域５３３と接続領域５３４との間の領域には、ＩＣ実装領域５３３における電極パッドと、接続領域５３４の対応する電極パッドとを接続する電源配線５３２および端子接続線５３１が、上記タッチパネル用導体層５１４によりこれらの電極パッドと一体に形成されている。
【００８８】
（表示部５０５）
表示部５０５は、表示制御部５０７より送られてくる表示信号に基づいて画像を画像表示面５０５１に表示するものである。
【００８９】
（表示制御部５０７）
表示制御部５０７は、表示部５０５の画像表示面５０５１に画像が表示されるよう表示部５０５に表示信号を供給するものであり、例えば、システム制御部５２１が、操作ボタンの画像とその他の画像（背景画像）とを合成して得られる合成画像の画像データを表示制御部５０７に供給すると、この表示制御部５０７が、画像データに基づいて合成画像を表示するための表示信号を表示部５０５に供給するようになっている。
【００９０】
〔メモリ５２９〕
図３（ｂ）は、この実施形態１の情報処理装置１０００を構成するメモリ５２９の構成を示している。
【００９１】
このメモリ５２９は、種々のデータを格納するものであり、このメモリ５２９には、揮発性メモリおよび不揮発性メモリが含まれる。このメモリ５２９は、図３（ｂ）に示すように、この情報処理装置１０００における信号処理を制御する制御プログラムを記憶している制御プログラム記憶部５２９ａと、この情報処理装置１０００に対する正規の操作者であるか否かを判定するための認証情報などのセキュリティー情報を記憶するセキュリティー情報記憶部５２９ｂと、この情報処理装置１０００で処理される種々の情報を一時的に記憶する一時情報記憶部５２９ｃとを有している。
【００９２】
ここで、制御プログラムは、システム制御部５２１がメモリ５２９、タッチパネル制御回路５０６、表示制御部５０７、および周辺機器５３０を制御するプログラムを含んでいる。また、このメモリ５２９には、この情報処理装置１０００で実行する他のアプリケーション（アプリケーションプログラム）が格納されている。
【００９３】
〔周辺機器５３０〕
図３（ａ）は、この実施形態１の情報処理装置１０００を構成する周辺機器５３０の構成を示している。
【００９４】
この周辺機器５３０は、図３（ａ）に示すように、種々のデータを含む信号を無線で送受信する無線送受信部５２２と、この無線送受信部５２２に接続されたアンテナ５２３と、種々のデータを含む信号を有線で送受信する有線送受信部５２４と、被写体の撮影を行う画像撮影用カメラ５２５と、音声信号の処理を行う音声処理部５２６と、音声信号あるいは音声を出力する音声出力部５２７１と、受信した音声信号、あるいは集音により得られた音声信号を出力する集音部５２７２と、経時動作を行うタイマ５２８とを有している。
【００９５】
〔システム制御部５２１〕
この実施形態１の情報処理装置１０００を構成するシステム制御部（制御プロセッサＭＰＵ）５２１は、メモリ５２９に格納されている制御プログラムをプログラム領域に展開して情報処理装置１０００内の各部を制御する処理を実行するものであり、メモリ５２９、タッチパネル表示装置５００、および周辺機器５３０とデータバス５０３により相互にデータの受け渡しが可能となるよう接続されている。
【００９６】
次に、動作について説明する。
【００９７】
操作者が、携帯型の情報処理装置１０００における信号処理システムの電源をＯＮにすると、システム制御部（ＭＰＵ）５２１が、制御プログラムを自動実行する。
【００９８】
システム制御部５２１が制御プログラムを実行することにより、タッチパネル表示装置５００では、表示装置５６０には、操作ボタンが表示され、タッチパネル５５０では、操作者による操作ボタンのタッチ操作による情報入力が可能となる。タッチパネル５５０で得られたタッチ位置情報Ｄｔはシステム制御部５２１に出力され、システム制御部５２１はタッチ位置情報Ｄｔからタッチ情報の有無とタッチ情報の位置座標に関する情報を得て、情報処理装置５００の動作を制御する。
【００９９】
以下、タッチパネルでの動作について詳しく説明する。
【０１００】
タッチパネルのタッチ制御回路（タッチパネルコントロールＩＣ）５０６では、制御部１３０により制御されるドライブライン駆動部１１０が駆動信号Ｄｒをタッチパネル本体５０４の信号引出線Ｔ１ａ〜Ｔ１ｆ、Ｔ３ａ、Ｔ３ｂに印加すると、この駆動信号Ｄｒにより第１の電極ライン１１ａ〜１１ｆ及び第３の電極ライン１３ａ、１３ｂが駆動され、これにより第２の電極ライン１２ａ〜１２ｆ及び第４の電極ライン１４ａ、１４ｂに発生したセンス電圧がセンス信号Ｓｅとして信号引出線Ｔ２ａ〜Ｔ２ｄ、Ｔ４ａ、Ｔ４ｂからセンスライン検知部１２０に出力される。
【０１０１】
センスライン検知部１２０では、増幅回路１２１が、入力されたセンス信号Ｓｅを増幅して信号選択部１２２へ出力する。信号選択部１２２は、増幅回路１２１からのセンス信号を選択して順次Ａ／Ｄ変換部１２３へ出力する。Ａ／Ｄ変換部１２３はセンス信号をデジタル化して端部検出部１２６ａに出力する。端部検出部１２６ａは、タッチ領域１０１の両端部に位置する第４の電極ライン１４ａ、１４ｂからのセンス信号を検知し、検出したデジタルセンス信号にこれがタッチ領域１０１の端部に位置する第４の電極ライン１４ａ、１４ｂからのものであることを示す情報を付加してタッチレベル補正処理部１２６ｂに出力する。タッチレベル補正処理部１２６ｂは、パネル部５０４のタッチ領域１０１の端部に位置する第４の電極ライン１４ａ、１４ｂから得られたデジタルセンス信号を、端部以外の第２の電極ライン１２ａ〜１２ｄから得られたデジタルセンス信号と同じ信号レベルとなるよう補正する。タッチレベル補正処理部１２６ｂでは、タッチ領域端部以外に位置する第２の電極ライン１２ａ〜１２ｄから得られたデジタルセンス信号は補正せずにそのまま復号処理部１２４に出力する。
【０１０２】
復号処理部１２４では、デジタル化されたセンス信号に対する復号化処理により、タッチパネルにおける隣接する電極間の静電容量値を検出してタッチ位置算出部１２５に出力する。タッチ位置算出部１２５は、検出された隣接する電極間の静電容量値に基づいて、タッチ領域におけるタッチ位置を示すタッチ位置情報Ｄｔを作成して出力する。タッチパネル表示装置５００から出力されたタッチ位置情報Ｄｔはデータバス５０３を介してシステム制御部５２１に供給される。
【０１０３】
また、制御部１３０はタッチ位置情報Ｄｔに基づいて、ドライブライン制御部１１０、増幅回路１２１および信号選択部１２２での動作タイミングを制御する。
【０１０４】
また、システム制御部５２１では、操作者の操作内容を判定し、表示部５０５で操作内容に応じた画像が表示されるよう表示制御部５０７に表示データを出力する。
【０１０５】
ここで、タッチパネル５５０に対してタッチ操作が行われていない状態では、隣接する電極間の静電容量値はタッチ領域の全面にわたって均一である。つまり、タッチ領域でマトリクス状に分布した隣接する電極間の容量値は一定である。
【０１０６】
このような状態で、タッチパネル本体のいずれかの箇所に導電体である指などが触れると、電極ラインと指との間でも容量を持ち、タッチ位置では、駆動信号が印加される電極ラインの電極と、センス信号が取り出される電極ラインの電極との間の静電容量値が低下する。タッチパネル制御回路５６０は、タッチパネル本体５０４でのこの低下分をセンス信号として取り出すことにより、指が触れた位置を検出する。
【０１０７】
次にフレキシブルプリント基板の製造方法について説明する。
【０１０８】
まず、第１の導電層形成工程では、タッチパネル用フレキシブル基板（フレキシブル配線基板）を構成する絶縁性の透明性基材（ポリイミド膜）３上に、タッチパネル用導体層５１４における配線が交差する交差部以外の部分、および該交差部で下側に位置する部分（菱形電極）１５および１６、並びに三角電極１７および１８を導電性材料で形成する。このとき、信号配線Ｌ１ａ〜Ｌ１ｆ及びＬ３ａ、Ｌ３ｂ、Ｌ２ａ〜Ｌ２ｄ及びＬ４ａ、Ｌ４ｂ、さらに、信号引出線Ｔ１ａ〜Ｔ１ｆ及びＴ３ａ、Ｔ３ｂ、Ｔ２ａ〜Ｔ２ｄ及びＴ４ａ、Ｔ４ｂも同時に形成される。
【０１０９】
次に、絶縁層形成工程では、透明性基材３上の、該交差部および該交差部の周辺部を含む領域に選択的に絶縁層４ａを形成する。
【０１１０】
続いて、第２の導電層形成工程では、透明性基材３上の、該絶縁層４ａの上部および該絶縁層４ａの周辺部を含む領域に導電性材料からなる導電層４ｂを形成して該タッチパネル用導体層の該交差部で上側に位置する部分を形成する。
【０１１１】
このように、タッチパネル用導体層における配線が交差する交差部以外の部分、および該交差部で下側に位置する部分を導電性材料で形成した後、該交差部および該交差部の周辺部を含む領域に選択的に絶縁層を形成し、その後、該絶縁層の上部および該絶縁層の周辺部を含む領域に導電性材料からなる導電層を形成して該タッチパネル用導体層の該交差部で上側に位置する部分を形成することで、配線が立体的に交差する部分を含むタッチパネル用導体層を、層間絶縁膜を形成したり、コンタクトホールを形成したりすることなく、効率よく形成することができる。
【０１１２】
ここで、第１の導電層形成工程と第２の導電層形成工程では導体層としてＩＴＯ膜を形成する。タッチ領域を形成する複数の電極をＩＴＯ膜で構成した場合は、中小型のタッチパネルを廉価に提供できる。
【０１１３】
但し、第１の導電層形成工程と第２の導電層形成工程とは金属細線を形成する金属細線工程を含み、金属細線工程により、電極部を構成する複数の電極、つまり菱形電極、三角電極、信号配線、および信号引出線を形成してもよい。この場合は、電極などの抵抗が低くなり、これによりタッチパネルの応答速度が高まり、高速で大型のタッチパネルを実現することができる。つまり、大型タッチパネル表示装置および大型タッチパネル表示装置を備えた情報処理装置に必要なフレキシブル配線基板の効率よい製造方法を提供できる。
【０１１４】
以下、本実施形態１の作用効果について説明する。
【０１１５】
このように本実施形態１の情報処理装置１０００におけるタッチパネル５５０を構成するタッチパネル用フレキシブル基板（フレキシブル配線基板）ＦＰＣとして、タッチ操作により生じたタッチ信号を静電容量型タッチパネル５５０の外部の回路基板に供給するタッチパネル用導体層５１４を透光性基材３上に形成した構造の基板を用い、このタッチパネル用導体層５１４を、タッチ領域を形成する複数の電極を有する電極部（ＴＰＥＰ）５１４ａと、複数の電極に対する信号の印加および複数の電極からの信号の取出しを行う複数の信号配線を有する信号配線部５１４ｂと、複数の信号配線がタッチパネル５５０の外部に設けられているＴＦＴ基板ＴＦＴＳに接続されるように信号配線をＴＦＴ基板ＴＦＴＳに引き出す複数の信号引出線を有する信号引出部５１４ｃとを含み、電気的に接続される信号配線および信号引出線を一体に形成した構造としている。
【０１１６】
このような構成のタッチパネル用フレキシブル基板ＦＰＣでは、タッチパネル本体５０４の信号配線部５１４ｂを構成する信号配線とタッチパネル本体５０４の信号引出部５１４ｃを構成する信号引出線とが一体につながっているため、信号配線と信号引出線の接合部が不要となり、これらの間での接続不良の問題を解消するとともに、タッチパネル５５０の電極部５１４ａ（つまりタッチ領域１００）の周縁に位置するタッチ入力ができない額縁部１００ｂを狭くすることができる。また、タッチパネル用フレキシブル基板ＦＰＣを特許文献１のように種類の異なる異方性導電フィルムで接合する必要がないので、製造の材料である異方性導電フィルムとして異なる材料を手配する手間を削減できる。
【０１１７】
また、タッチパネル用フレキシブル基板ＦＰＣ上にタッチパネルコントローラとしてのＩＣを実装するタッチパネル実装パターン領域５３３を設けているので、タッチパネル本体５０４の電極部５１４ａに印加する信号あるいは電極部５１４ａから取得する信号に対するアナログ信号処理を行うタッチパネル制御回路（タッチパネルコントロールＩＣ）５０６と電極部５１４ａとの間の配線が短くなり、ノイズを抑制できる。
【０１１８】
また、タッチパネルの電極部５１４ａの周縁部に位置する電極の形状を、周縁部以外の領域に位置する電極の形状を電極ラインの延びる方向に沿った対称軸で分割した、対称軸部分を含む形状としたので、電極部の周縁ぎりぎりに配置した電極ラインからセンス信号を取得でき、電極部の周縁部でのノイズの影響を抑制したタッチパネルを提供できる。つまり、タッチ領域の周縁部のぎりぎりまで縦方向あるいは横方向に電気的に繋がった電極が配置されることとなり、これにより電極部の周縁部に位置する電極からＳ／Ｎ比の高いセンス信号を取得でき、電極部の周縁部でのノイズの影響を抑制することができる。
【０１１９】
また、この実施形態１では、タッチパネル用導体層における配線が交差する交差部以外の部分、および該交差部で下側に位置する部分を導電性材料で形成した後、該交差部および該交差部の周辺部を含む領域に選択的に絶縁層を形成し、その後、該絶縁層の上部および該絶縁層の周辺部を含む領域に導電性材料からなる導電層を形成して該タッチパネル用導体層の該交差部で上側に位置する部分を形成するので、配線が立体的に交差する部分を含むタッチパネル用導体層を、層間絶縁膜を形成したり、コンタクトホールを形成したりすることなく、効率よく形成することができる。
【０１２０】
（実施形態１の変形例１）
図８Ａは、本発明の実施形態１の変形例１による情報処理装置を説明する図であり、この情報処理装置の断面構造を示している。
【０１２１】
この実施形態１の変形例１による情報処理装置１０００ａは、実施形態１の情報処理装置１０００におけるタッチパネル表示装置５００に代わるタッチパネル表示装置５００ａを備えたものである。
【０１２２】
この情報処理装置１０００ａは、実施形態１の情報処理装置１０００において、表示装置（液晶パネルＬＣＰ）５６０を構成するバックライトＢＬの下側に、制御回路等を実装した制御回路基板ＣＮＴＳを配置し、タッチパネルコントローラＩＣ（ＴＣＩＣ）５０６をこの制御回路基板ＣＮＴＳ上に実装し、さらに、この変形例１のタッチパネル表示装置５００ａでは、実施形態１のタッチパネル用フレキシブル基板ＦＰＣに代わるタッチパネル用フレキシブル基板ＦＰＣａを用いている。また、この制御回路基板ＣＮＴＳ上には、システム制御部（ＭＰＵ）５２１が実装されている。
【０１２３】
このタッチパネル用フレキシブル基板ＦＰＣａは、実施形態１のタッチパネル用フレキシブル基板ＦＰＣにおけるタッチパネル外側の回路基板に接続する部分を２分岐したものであり、一方の分岐部分Ｄｐ１がＴＦＴ基板ＴＦＴＳに接合部ＦＯＧにより接続され、他方の分岐部分Ｄｐ２が制御回路基板ＣＮＴＳに接合部ＦＯＧにより接続されている。ここで、接合部ＦＯＧはＦＯＧ圧着によるものである。
【０１２４】
つまり、この実施形態１の変形例１のタッチパネル表示装置５００ａでは、タッチパネル本体５０４ａは、上記タッチパネル用フレキシブル基板ＦＰＣａにより構成されており、タッチパネル５５０ａは、このタッチパネル用フレキシブル基板ＦＰＣａと、制御回路基板ＣＮＴＳ上に実装されたタッチパネルコントローラＩＣ５０６とを有している。
【０１２５】
このような構成の本実施形態１の変形例１では、タッチパネルコントローラＩＣ５０６を、バックライトＢＬの下方に配置した制御回路基板ＣＮＴＳに実装しているので、タッチパネル用フレキシブル基板ＦＰＣａでは、タッチパネルコントローラＩＣ５０６の実装領域は不要となり、タッチパネル５５０ａの電極部５１４ａ（つまりタッチ領域１０１）の周縁部である額縁部１００ｂ（図１（ａ）参照）を一層狭くすることができる。
【０１２６】
（実施形態１の変形例２）
図８Ｂは、本発明の実施形態１の変形例２による情報処理装置を説明する図であり、この情報処理装置の断面構造を示している。
【０１２７】
この実施形態１の変形例２による情報処理装置１０００ｂは、実施形態１の情報処理装置１０００におけるタッチパネル表示装置５００に代わるタッチパネル表示装置５００ｂを備えたものである。
【０１２８】
この情報処理装置１０００ｂは、実施形態１の情報処理装置１０００において、液晶表示パネル５６０を構成するバックライトＢＬの下側に制御回路等を実装した制御回路基板ＣＮＴＳを配置し、タッチパネルコントローラＩＣ（ＴＣＩＣ）５０６をこの制御回路基板ＣＮＴＳ上に実装し、さらに、この変形例２のタッチパネル表示装置５００ｂでは、実施形態１のタッチパネル用フレキシブル基板ＦＰＣに代わるタッチパネル用フレキシブル基板ＦＰＣｂを用いている。なお、この制御回路基板ＣＮＴＳ上には、システム制御部（ＭＰＵ）５２１が実装されている。
【０１２９】
このタッチパネル用フレキシブル基板ＦＰＣｂは、実施形態１のタッチパネル用フレキシブル基板ＦＰＣにおけるタッチパネルコントローラＩＣ５０６の実装領域を削除したものであり、このタッチパネル用フレキシブル基板ＦＰＣｂの、タッチパネル外側の回路基板に接続する部分は、制御回路基板ＣＮＴＳに接続部ＦＯＧにより接続されている。
【０１３０】
つまり、この実施形態１の変形例２のタッチパネル表示装置５００ｂでは、タッチパネル本体５０４ｂは、上記タッチパネル用フレキシブル基板ＦＰＣｂにより構成されており、タッチパネル５５０ｂは、このタッチパネル用フレキシブル基板ＦＰＣｂと、制御回路基板ＣＮＴＳ上に実装されたタッチパネルコントローラＩＣ５０６とを有している。
【０１３１】
図９は、この実施形態１の変形例２によるタッチパネル表示装置５００ｂのタッチパネル５５０ｂを構成するタッチパネル用フレキシブル基板ＦＰＣｂの電極および配線の構造を示している。
【０１３２】
このタッチパネル用フレキシブル基板ＦＰＣｂでは、実施形態１のタッチパネル表示装置５００のタッチパネル用フレキシブル基板ＦＰＣにおいて、タッチパネルコントローラＩＣを実装するＩＣ実装領域（ＴＰＩＣ実装パターン領域）５３３、ＩＣ実装領域５３３における電極パッドと接続領域５３４の対応する電極パッドとを接続する電源配線５３２および信号配線５３１を削除したものであり、このタッチパネル用フレキシブル基板ＦＰＣｂの信号引出部５１４ｃ２では、信号引出線Ｔ１ａ〜Ｔ１ｆ、Ｔ３ａ、Ｔ３ｂ、Ｔ２ａ〜Ｔ２ｄ及びＴ４ａ、Ｔ４ｂの一端側は、信号配線Ｌ１ａ〜Ｌ１ｆ、Ｌ３ａ、Ｌ３ｂ、Ｌ２ａ〜Ｌ２ｄ及びＬ４ａ、Ｌ４ｂと一体に繋がっており、これらの信号引出線の他端側は、外部の回路基板に接続される接続領域５３４の対応する電極パッド（図示せず）に一体に繋がっている。
【０１３３】
その他の構成は、実施形態１のタッチパネル用フレキシブル基板ＦＰＣと同一である。
【０１３４】
このような構成の本実施形態１の変形例２では、タッチパネルコントローラＩＣ５０６を、バックライトＢＬの下方に配置した制御回路基板ＣＮＴＳに実装しているので、タッチパネル用フレキシブル基板ＦＰＣｂでは、タッチパネルコントローラＩＣ５０６の実装領域は不要となり、タッチパネル５５０ｂの電極部（ＴＰＥＰ）５１４ａ（つまりタッチ領域１０１）の周縁部である額縁部１００ｂ（図１（ａ）参照）を一層狭くすることができる。
【０１３５】
また、制御回路基板ＣＮＴＳには、システム制御部５２１としての制御プロセッサＭＰＵ、メモリ５２９、周辺機器５３０とのインタフェース用回路、電源部などを、情報処理装置のシステム動作に必要な構成要素として実装し、ＴＦＴ基板ＴＦＴＳ上にはタッチパネル用フレキシブル基板ＦＰＣｂとの接続部をなくし、表示部（液晶パネルＬＣＰ）５０５を駆動する表示制御部５０７としてのドライバチップＤＲＣへの信号は、制御回路基板から供給するようにしているので、表示装置５６０の表示面積を広くできる。
（実施形態１の変形例３）
図８Ｃは、本発明の実施形態１の変形例３による情報処理装置を説明する図であり、この情報処理装置の断面構造を示している。
【０１３６】
この実施形態１の変形例３による情報処理装置１０００ｃは、実施形態１の情報処理装置１０００におけるタッチパネル表示装置５００と同一のタッチパネル表示装置５００を備えている。
【０１３７】
この変形例３の情報処理装置１０００ｃは、実施形態１の情報処理装置１０００において、表示装置（液晶パネルＬＣＰ）５６０を構成するバックライトＢＬの下側に、制御回路等を実装した制御回路基板ＣＮＴＳを配置したものである。この制御回路基板ＣＮＴＳの表示面側（液晶パネルＬＣＰ側）の実装面には、システム制御部（ＭＰＵ）５２１及び接触型電池としてのコンデンサ電池（以下充電池という。）ＢＴ２ｃが実装されており、また、制御回路基板ＣＮＴＳの背面側（液晶パネルＬＣＰとは反対側）の実装面には、カメラモジュール５２５、コイルＣＬｃ、および非接触充電対応の電池としてのリチウム電池（以下、充電池という。）ＢＴ１ｃが実装されており、充電池ＢＴ１ｃは、制御回路基板ＣＮＴＳを貫通する貫通配線Ｗｔにより充電池ＢＴ２ｃに接続されている。このコイルＣＬｃは、非接触で充電池ＢＴ１ｃの充電を行うための受電用コイルであり、情報処理装置１０００ｃ外部の給電用コイルで生成された電磁波を受けて起電力を発生するものである。
【０１３８】
なお、図８Ｃ中、ＧＲＳは、タッチパネル用フレキシブル基板ＦＰＣの下側に配置され、このタッチパネル用フレキシブル基板ＦＰＣを支持するガラス板であり、ＣＶＲは、フロントパネル（透明カバー部材）ＦＷとともに、タッチパネル表示装置５００及び制御回路基板ＣＮＴＳを覆うように設けられ、これらを保護するカバー部材であり、制御回路基板ＣＮＴＳの背面側のカメラモジュール５２５、コイルＣＬｃ、及び充電池ＢＴ１ｃはこのカバー部材により保護されている。また、実施形態１の変形例３では、説明の都合上、実施形態１及びその変形例１及び２では言及していないカバー部材ＣＶＲについて示したが、このカバー部材ＣＶＲは、実施形態１及びその変形例１及び２の情報処理装置においても通常は設けられているものである。
【０１３９】
このような構成の実施形態１の変形例３では、携帯端末などの情報処理装置において、カメラモジュール５２５を、表示面とは反対側の面（装置背面）に配置しているので、端末の１つの面を全て液晶パネルなどの表示装置が占有することが可能となり、表示画面を大きくすることができ、しかも、装置背面側の、カメラモジュールの配置領域以外のスペースは、非接触充電のための受電用コイルの配置領域として活用し、大型の表示画面を備えるタブレット端末などの情報処理装置では、消費電力が大きく頻繁に行わなければならない内蔵電池の充電作業を、非接触での充電により手間のかからないものにすることができる。
【０１４０】
つまり、この実施形態１の変形例３では、携帯端末などの情報処理装置において、表示画面が広がるように、カメラモジュールの撮像部を携帯端末の表示面とは反対の背面に配置して、携帯端末の一面すべてを液晶パネル等の表示デバイスが占有できるようにすると、背面には、カメラモジュールしか配置されていないために、大きなスペースが空いてしまうという問題、さらに大型の表示画面を備えるタブレット端末は、消費電力が大きく内蔵電池の充電に手間がかかるという課題を、カメラモジュールが配置される表示画面の背面部に非接触で充電を行うためのコイルＣＬｃを設けることにより解決したものとなっている。
【０１４１】
また、この実施形態１の変形例３では、非接触給電用コイルとの間で電磁的に結合し、該非接触給電用コイルで生成された電磁波を受けて電力を発生する非接触受電用コイルを備え、該非接触受電用コイルを、タッチパネルの電極や配線と一体的に、１つの導体層のパターニングにより、電極や信号配線などとともに形成しているので、非接触で給電されるタッチパネル表示装置を搭載した情報処理装置に必要なフレキシブル配線基板を廉価に提供できる。また、非接触受電用コイルをタッチパネルの電極などと同時に形成でき、製造プロセスの削減により、非接触で給電されるタッチパネル表示装置を搭載した情報処理装置を廉価に提供できる。
【０１４２】
（実施形態２）
図１０は、本発明の実施形態２による情報処理装置を説明する図であり、図１０（ａ）は、この情報処理装置の外観を示し、図１０（ｂ）は、この情報処理装置の信号処理システムの構成を示している。
【０１４３】
この実施形態２の情報処理装置２０００は、実施形態１の情報処理装置１０００において無線給電システム６００を備えたものである。
【０１４４】
この情報処理装置２０００は、その筐体１００ａの外部に設けられた非接触給電部６１０と、その筐体１００ａの内部に設けられた非接触受電部６２０とを有している。なお、この実施形態２では、実施形態１の情報処理装置１０００におけるリチウム電池（一次電池）とともに接触充電方式のコンデンサ電池が電源部５４０ａとして実装されている。説明の都合上、この非接触受電部６２０を電源部〔Ａ〕とし、コンデンサ電池およびリチウム電池を搭載した電源部５４０ａを電源部〔Ｂ〕とする。
【０１４５】
図１１は、上記無線給電システム６００を説明する図であり、図１１（ａ）は、無線給電システムを構成する非接触給電部６１０を示し、図１１（ｂ）は、無線給電システムを構成する非接触受電部６２０を示している。
【０１４６】
非接触給電部６１０は、商用電源などの情報処理装置の外部の電源から電力を受けて交流電圧を発生する交流電源６１２と、この交流電源６１２に接続された給電用コイル６１１とを有している。非接触受電部６２０は、非接触給電部６１０の給電用コイル６１１に近接するように配置されたときに給電用コイル６１１と電磁的に結合して交流電圧を両端に発生する受電用コイル６２１と、この受電用コイル６２１に接続され、受電用コイル６２１からの交流電圧を受けて充電を行う非接触充電器６２２とを有している。この非接触充電器６２２は充電池（以下、バッテリともいう。）ＢＴ１を充電するようになっている。
【０１４７】
図１２は、本発明の実施形態２による情報処理装置を説明する図であり、図１２（ａ）は、この情報処理装置の断面構造を示し、図１２（ｂ）は、この情報処理装置を構成するタッチパネル表示装置に用いるタッチパネル用フレキシブル基板の構成を示している。
【０１４８】
この実施形態２の情報処理装置２０００の断面構造は、無線給電システム６００を搭載したことで、実施形態１の情報処理装置１０００の断面構造とは異なった構造となっている。
【０１４９】
つまり、この情報処理装置２０００は、図１２（ａ）に示すように、実施形態１のタッチパネル表示装置５００（図５（ａ））における表示装置（液晶パネルＬＣＰ）５６０を構成するバックライトＢＬの下側に、制御回路等を実装した制御回路基板ＣＮＴＳを配置し、さらに、実施形態１のタッチパネル用フレキシブル基板ＦＰＣに代わるタッチパネル用フレキシブル基板ＦＰＣ２を用いている。また、この制御回路基板ＣＮＴＳの表面側には、システム制御部（ＭＰＵ）５２１が実装され、さらにコンデンサ電池などの接触充電型電池（以下、バッテリともいう。）ＢＴ２が１次電池であるリチウム電池とともに第２の電源部〔Ｂ〕として実装されている。ただし、第２の電源部〔Ｂ〕は、接触充電型電池と１次電池のいずれか一方のみを含むものでもよい。
【０１５０】
このタッチパネル用フレキシブル基板ＦＰＣ２は、実施形態１のタッチパネル用フレキシブル基板ＦＰＣにおけるタッチパネル電極部５１４ａの、タッチ信号引出部５１４ｃとは反対側に受電用コイル６２１の配置領域（電源コイル部）ＣＬを設けたものであり、この電源コイル部ＣＬは、制御回路基板ＣＮＴＳの裏面側に保持されている。ここで、受電用コイル６２１は、タッチパネル電極部５１４ａの電極、タッチ信号配線部５１４ｂの信号配線、及びタッチ信号引出部５１４ｃの信号引出線を形成する導体層と同一の導体層のパターニングにより形成されたものである。また、この制御回路基板ＣＮＴＳの裏面側には、この受電用コイル６２１に接続された非接触充電器６２２が搭載され、さらに、この非接触充電器６２２により充電される非接触充電バッテリＢＴ１が第１の電源部〔Ａ〕として搭載されている。このバッテリＢＴ１は貫通配線Ｗｔにより制御回路基板ＣＮＴＳの表面側の回路と接続されている。ここで、接触充電型バッテリＢＴ２はＡＣ電源と非接触充電バッテリＢＴ１のいずれからも充電でき、待ち受けモードなどの電力消費が少ない状況で充電される。
【０１５１】
この実施形態２の情報処理装置２０００におけるその他の構成は、実施形態１の情報処理装置１０００と同一である。
【０１５２】
また、上記非接触受電部６２０を構成する受電用コイル６２１は、実施形態１で説明したフレキシブルプリント基板の製造方法における第１の導電層形成工程、絶縁層形成工程、および第２の導電層形成工程で形成される。
【０１５３】
例えば、第１の導電層形成工程と第２の導電層形成工程に含まれる金属細線工程により、電極部を構成する複数の電極と同時に受電用コイルが形成される。このとき、受電用コイルにおける交差部は、絶縁層形成工程で形成される絶縁層により電気的に絶縁される。
【０１５４】
なお、非接触受電用コイルと電極部を構成する複数の電極とは別々の工程で形成してもよい。
【０１５５】
このような構成の情報処理装置２０００では、表示パネル５６０（液晶パネルＬＣＰ）の下方に制御回路基板ＣＮＴＳを配置し、さらにこの制御回路基板ＣＮＴＳの下面には、タッチパネル用フレキシブル基板ＦＰＣ２の電源コイル部ＣＬに形成した受電用コイル６２１を配置しているので、情報処理装置５２０の外部の非接触給電部６１０からの電磁波Ｅｗを受電用コイル６２１で受けてこの受電用コイルの両端に起電力が発生し、情報処理装置２０００に備えられた電源部〔Ａ〕としてのバッテリＢＴ１に充電される。特に、給電用コイル６１１の中心が受電用コイル６２１の中心に一致するようにこれらのコイルを配置すると、受電用コイル６２１の両端に発生する電力を大きくできる。この結果、実施形態１の情報処理装置の効果に加えて、以下の効果が得られる。
【０１５６】
つまり、この実施形態２では、接触充電方式の電池と１次電池とを含む電源部〔Ｂ〕と、非接触充電方式の電源部〔Ａ〕とを備えているので、情報処理装置の外部からの無線給電あるいは有線による給電により、タッチパネルの搭載に伴う一次電池の消耗を抑制することができ、薄型化の阻害要因となる一次電池の容量増大を回避しつつ一次電池の電力不足を補うことができる。
【０１５７】
また、この情報処理装置２０００では、筐体１００ａと、表示装置５６０および静電容量型タッチパネル５５０の前面側にこれらを覆うように配置されているフロントパネル（（透明カバー部材）ＦＷとの隙間を、筐体内部が密封されるように気密封止し、電源部としては非接触充電方式の電源部〔Ａ〕のみを密封された筐体内に搭載することで、情報処理装置２０００は洗浄液や消毒液などによる丸洗いが可能となり、屋外での使用や医療現場での使用により情報処理装置の外表面が汚れても、洗浄あるいは消毒などにより清浄な状態を回復することができる。
【０１５８】
なお、この実施形態２の情報処理装置２０００では、タッチパネルコントローラＩＣ５０６はタッチパネル用フレキシブル基板ＦＰＣ２上に配置しているが、制御回路基板ＣＮＴＳ上に配置してもよい。
【０１５９】
このようにタッチパネルコントローラＩＣ（タッチパネル制御回路）５０６をタッチパネル用フレキシブル基板ＦＰＣ２上に配置することで、タッチパネル本体５０４からタッチパネル制御回路５０６までのアナログ信号の伝送路を短くできるので、ノイズ抑制に効果的である。また、タッチパネルコントローラＩＣを制御回路基板ＣＮＴＳに配置すると、タッチパネル用フレキシブル基板ＦＰＣ２上でのタッチパネルコントローラＩＣの配置スペースが不要となり、情報処理装置の筐体におけるタッチパネル表示部の周囲に位置する額縁部を狭くする上で効果的である。タッチパネルコントローラＩＣをいずれの基板上に配置するかは、許容される範囲で適宜使い分けることができる。
【０１６０】
また、フレキシブル配線基板を構成するタッチパネル用導体層における非接触受電用コイルを、金属細線を形成する工程で作成することで、タッチパネルの電極を低抵抗化したタッチパネル表示装置と非接触給電方式の受電コイルとを備えた情報処理装置に必要なフレキシブル配線基板の効率よい製造方法を提供でき、さらに上記フレキシブル配線基板の製造方法において、金属細線工程により非接触充電用コイルと電極部を構成する複数の電極とを同時に形成することで、一層効率良いタッチパネル用フレキシブル配線基板の製造方法を提供できる。
【０１６１】
（実施形態２の変形例１）
図１３は、本発明の実施形態２の変形例１および２による情報処理装置を説明する図であり、図１３（ａ）は、実施形態２の変形例１による情報処理装置の断面構造を示している。
【０１６２】
この実施形態２の変形例１による情報処理装置２０００ａは、実施形態２の情報処理装置２０００におけるタッチパネル表示装置５００に代わるタッチパネル表示装置５００ｄを備えたものであり、このタッチパネル表示装置５００ｄは、図８（ｂ）に示す実施形態１の変形例２によるタッチパネル表示装置５００ｂにおいて、液晶パネルＬＣＰの下方に配置した回路基板ＣＮＴＳの裏面側に、非接触受電用コイル６２１の配置領域（電源コイル部ＣＬ）を設け、制御回路基板ＣＮＴＳの電源コイル部ＣＬに非接触受電用コイル６２１を配置し、さらにこの電源コイル部ＣＬの近傍に充電池（バッテリ）ＢＴ１を配置し、このバッテリＢＴ１を貫通配線Ｗｔにより制御回路基板ＣＮＴＳの表面側の回路と接続したものである。
【０１６３】
つまり、この実施形態２の変形例１による情報処理装置２０００ａは、実施形態２の情報処理装置２０００におけるタッチパネル用フレキシブル基板ＦＰＣ２に代わるタッチパネル用フレキシブル基板ＦＰＣ２ａを備え、このタッチパネル用フレキシブル基板ＦＰＣ２ａは、実施形態２におけるタッチパネル用フレキシブル基板ＦＰＣ２の電源コイル部ＣＬを、そのタッチパネル電極部の電極などを構成するタッチパネル用導体層と切り離して、他の基板である制御回路基板に実装したものであり、この電源コイル部ＣＬに設けられている受電用コイル６２１での起電力により、制御回路基板の電源コイル部ＣＬの近傍に実装された第１の電源部〔Ａ〕としてのバッテリＢＴ１が充電されるようになっている。また、この実施形態２の変形例１の情報処理装置２０００ａでは、実施形態２の情報処理装置２０００における第２の電源部〔Ｂ〕は搭載されていない。
【０１６４】
この実施形態２の変形例１の情報処理装置２０００ａでは、制御回路基板ＣＮＴＳの電源コイル部ＣＬに受電用コイル６２１を実装し、さらにその近傍部分にバッテリＢＴ１を実装し、受電用コイル６２１とは別工程でタッチパネル用フレキシブル基板ＦＰＣ２ａおよび制御回路基板ＣＭＴＳに実装されたタッチパネルと、ＴＦＴ基板ＴＦＴＳに実装された液晶パネルとを組わせて情報処理装置を完成させることができる。
【０１６５】
（実施形態２の変形例２）
図１３（ｂ）は、実施形態２の変形例２によるタッチパネル用フレキシブル基板の構成を示している。
【０１６６】
この実施形態２の変形例２によるタッチパネル用フレキシブル基板ＦＰＣ２ｂは、実施形態２の情報処理装置を構成するタッチパネル表示装置で用いているタッチパネル用フレキシブル基板ＦＰＣ２における、受電用コイルを配置する電源コイル部ＣＬと、タッチパネル本体５０４を構成するタッチパネル用導体層５１４の配置領域である、タッチパネル電極部５１４ａ、タッチ信号配線部５１４ｂ、およびタッチ信号引出部５１４ｃとを１つのユニット構成領域として、第１のユニット構成領域ＵＲ１と第２のユニット構成領域ＵＲ２とを設けたものである。ここで、第１のユニット構成領域ＵＲ１と第２のユニット構成領域ＵＲ２とは、タッチパネル用フレキシブル基板ＦＰＣ２ｂを構成する透光性基材３（図７（ｃ）参照）上に、電源コイル部ＣＬと、タッチパネル電極部５１４ａ、タッチ信号配線部５１４ｂ、およびタッチ信号引出部５１４ｃとが点対称となるように対向して配置されている。
【０１６７】
具体的には、第１のユニット構成領域ＵＲ１は、第１のタッチパネル電極部５１４ａ１、第１のタッチ信号配線部５１４ｂ１、および第１のタッチ信号引出部５１４ｃ１を、第１の電源コイル部ＣＬ１とともに含んでおり、また、第２のユニット構成領域ＵＲ２は、第２のタッチパネル電極部５１４ａ２、第２のタッチ信号配線部５１４ｂ２、および第２のタッチ信号引出部５１４ｃ２を、第２の電源コイル部ＣＬ２とともに含んでいる。また、タッチパネル用フレキシブル基板ＦＰＣ２ｂを構成する帯状透光性基材の長手方向に沿った両側辺部には、スプロケットの歯が挿入されるスプロケット孔ＳＰＬＴが一定ピッチで形成されている。
【０１６８】
このような構成のタッチパネル用フレキシブル基板ＦＰＣ２ｂでは、タッチパネル本体と電源コイル部とを構成する２つのユニット構成領域を、これらの領域におけるタッチパネル用導体層５１４の配置が点対象になるように配置しているので、これら２つのユニット構成領域の対向する部分では、一方のユニット構成領域のタッチ信号引出部と、他方のユニット構成領域のタッチ信号引出部とがタッチパネル用フレキシブル基板ＦＰＣ２ｂの幅方向に隣接して、タッチパネル用フレキシブル基板ＦＰＣ２ｂを無駄なく占有することとなり、タッチパネル用フレキシブル基板ＦＰＣ２ｂを無駄なく活用できる。
【０１６９】
また、第１のユニット構成領域ＵＲ１のタッチ信号引出部５１４ｃ１と第２のユニット構成領域ＵＲ２のタッチ信号引出部５１４ｃ２とが対向する部分では、これらをタッチパネル用フレキシブル基板ＦＰＣ２ｂの両側部に離して配置することで、これらの配置間隔としてノイズが発生しない程度の間隔を確保できる。つまり、フレキシブル配線基板に、電極部、信号配線部、および信号引出部の配置領域を無駄なく割当てることができ、タッチパネル表示装置、およびタッチパネル表示装置を備えた情報処理装置に必要なフレキシブル配線基板を廉価に提供できる。
【０１７０】
さらに、タッチパネル用フレキシブル基板ＦＰＣ２ｂの配線（導体層）や配線の欠陥有無の検査などを製造工程で行う際には、タッチパネル用フレキシブル基板ＦＰＣ２ｂでは、その透光性基材に設けたスプロケット孔を活用して、適切な位置にタッチパネル用フレキシブル基板ＦＰＣ２ｂを移動でき、タッチパネル用フレキシブル基板ＦＰＣ２ｂはその製造の自動化に適した構造となっている。
（実施形態２の変形例３）
図１４は、本発明の実施形態２の変形例３による情報処理装置を説明する図であり、図１４（ａ）は、実施形態２の変形例３による情報処理装置の断面構造を示し、図１４（ｂ）は、この情報処理装置を構成するタッチパネル表示装置に用いるタッチパネル用フレキシブル基板の構成を示している。
【０１７１】
この実施形態２の変形例３による情報処理装置２０００ｂは、実施形態２の情報処理装置２０００におけるタッチパネル表示装置５００に代わるタッチパネル表示装置５００ｅを備えたものであり、このタッチパネル表示装置５００ｅは、図１２に示す実施形態２のタッチパネル表示装置５００におけるものと同一の表示装置５６０及びタッチパネル５５０を有している。
【０１７２】
そして、この実施形態２の変形例３の情報処理装置２０００ｂでは、タッチパネル表示装置５００ｅを構成するタッチパネル用フレキシブル基板として、実施形態２のタッチパネル表示装置５００を構成するタッチパネル用フレキシブル基板ＦＰＣ２の一部をカメラモジュールＣＭの配置スペースＳｃｍが形成されるように変形した構造のタッチパネル用フレキシブル基板ＦＰＣ２ｃを用いている。つまり、このタッチパネル用フレキシブル基板ＦＰＣ２ｃでは、実施形態２のタッチパネル用フレキシブル基板ＦＰＣ２における一部に、つまり電源コイル部ＣＬのタッチ信号配線部５１４ｂに対向する隅部に対応する部分に基板切欠部３ａが形成され、タッチパネル用フレキシブル基板ＦＰＣ２ｃの電源コイル部ＣＬを保持する制御回路基板ＣＮＴＳの、この基板切欠部３ａに露出する部分にはカメラモジュール５２５ａが装着されている。
【０１７３】
この実施形態２の変形例３による情報処理装置２０００ｂにおけるその他の構成は、実施形態２の情報処理装置２０００におけるものと同一である。
【０１７４】
このような構成の実施形態２の変形例３では、実施形態２の効果に加えて、実施形態１の変形例３と同様に以下の効果が得られる。
【０１７５】
つまり、この実施形態２の変形例３では、携帯端末などの情報処理装置において、カメラモジュール５２５ａを、表示面とは反対側の面（装置背面）に配置しているので、端末の１つの面を全て液晶パネルなどの表示装置が占有することが可能となり、表示画面を大きくすることができ、しかも、装置背面側の、カメラモジュールの配置領域以外のスペースは、非接触充電のための受電用コイルの配置領域として活用し、大型の表示画面を備えるタブレット端末などの情報処理装置では、消費電力が大きく頻繁に行わなければならない内蔵電池の充電作業を、非接触での充電により手間のかからないものにすることができる。
【０１７６】
言い換えると、この実施形態２の変形例３では、携帯端末などの情報処理装置において、表示画面が広がるように、カメラモジュールの撮像部を携帯端末の表示面とは反対の背面に配置して、携帯端末の一面すべてを液晶パネル等の表示デバイスが占有できるようにすると、背面には、カメラモジュールしか配置されていないために、大きなスペースが空いてしまうという問題、さらに大型の表示画面を備えるタブレット端末は、消費電力が大きく内蔵電池の充電に手間がかかるという課題を、カメラモジュールが配置される表示画面の背面部に非接触で充電を行うための受電用コイル６２１を設けることにより解決したものとなっている。
【０１７７】
（実施形態２の変形例４）
図１５は、本発明の実施形態２の変形例４による情報処理装置を説明する図であり、無線給電システムに用いる給電用コイル（図１４（ａ））および受電用コイル（図１４（ｂ））を示している。
【０１７８】
この実施形態２の変形例４による情報処理装置は、実施形態２による情報処理装置２０００の非接触受電部６２０に代わる、隣接して配置された第１および第２の受電用コイル６２１ａおよび６２１ｂを含む非接触受電部６２０ａを備えたものであり、この非接触受電部６２０ａでは、第１および第２の受電用コイル６２１ａおよび６２１ｂは並列接続され、さらに、これらの受電用コイルで発生した起電力が非接触充電器６２２に印加されるように非接触充電器６２２に接続されている。
【０１７９】
また、この実施形態２の変形例４による情報処理装置は、実施形態２による情報処理装置２０００の非接触給電部６１０に代わる、占有面積の大きな給電用コイル６１１ａを含む非接触給電部６１０ａを備えたものであり、給電用コイル６１１ａは、これに非接触給電部６１０ａと非接触受電部６２０ａとを対向させて配置したとき、隣接して配置された第１および第２の受電用コイル６２１ａおよび６２１ｂに実質的に重なる程度の広さの平面形状を有している。
【０１８０】
このような構成の実施形態２の変形例４の情報処理装置では、非接触給電部６１０ａと非接触受電部６２０ａとを近接して配置したとき、両者の位置ずれが生じていても、給電用コイル６１１ａで発生する電磁波を、第１および第２の受電用コイル６２１ａおよび６２１ｂのいずれかで適切に受電することができ、非接触給電部６１０ａと非接触受電部６２０ａとの位置ずれによる電源出力の低下を回避できる。
【０１８１】
言い換えると、非接触充電用コイル（第１および第２の受電用コイル）を複数備えているので、非接触充電の電源を備えたタッチパネル表示装置に必要なタッチパネル用フレキシブル基板（フレキシブル配線基板）を非接触充電用コイルの位置精度を緩くして効率よく製造でき、これにより非接触で給電されるタッチパネル表示装置を搭載した情報処理装置に必要なフレキシブル配線基板を更に廉価に提供できる。
【０１８２】
（実施形態２の変形例５）
図１５は、本発明の実施形態２の変形例５による情報処理装置を説明する図であり、無線給電システムに用いる給電用コイル（図１５（ａ））および受電用コイル（図１５（ｂ））を示している。
【０１８３】
この実施形態２の変形例５による情報処理装置は、実施形態２による情報処理装置２０００の非接触受電部６２０に代わる、マトリクス状に配置された複数のコイルユニット６２１ｋを含む非接触受電部６２０ｂを備えたものであり、この非接触受電部６２０ｂでは、複数のコイルユニット６２１ｋは並列接続され、さらに、これらの非接触受電部のコイルユニットで発生した起電力が非接触充電器６２２に印加されるように非接触充電器６２２に接続されている。
【０１８４】
また、この実施形態２の変形例５による情報処理装置は、実施形態２による情報処理装置２０００の非接触給電部６１０に代わる、マトリクス状に配列された複数のコイルユニット６１１ｋを含む非接触給電部６１０ｂを備えたものであり、この非接触給電部６１０ｂでは、複数のコイルユニット６１１ｋは並列接続され、さらに、外部の電源から電力が各コイルユニット６１１ｋに供給されるように交流電源６１２に接続されている。
【０１８５】
この実施形態２の変形例５による情報処理装置の無線給電システムでは、非接触給電部６１０ｂに対して非接触受電部６２０ｂを所定の位置関係となるように近接させて配置したとき、非接触受電部６２０ｂの各コイルユニット６２１ｋが非接触給電部６１０ｂの各コイルユニット６１１ｋに対向するように非接触給電部および非接触受電部のコイルユニットは位置決めされている。
【０１８６】
このような構成の実施形態２の変形例５の情報処理装置では、非接触給電部６１０ｂでは、給電用コイルを複数のコイルユニットに分割しているので、非接触給電部６１０ｂでは電磁波のピークが複数箇所に分散して現れる。また、非接触受電部６２０ｂでは、受電用コイルを複数のコイルユニットに分割しているので、非接触給電部６１０ｂで生成された電磁波を複数のピーク位置にて、非接触受電部６２０ｂの各コイルユニットが受けることとなる。その結果、非接触給電部６１０ｂと非接触受電部６２０ｂとが位置ずれしても、非接触給電部６１０ｂで生成された電磁波のピーク位置が、非接触受電部６２０ｂのいずれかのコイルユニットの配置領域内に位置することとなり、非接触給電部６１０ｂと非接触受電部６２０ｂとの位置ずれによる電源出力の低下を抑制することができる。
【０１８７】
（実施形態２の変形例６）
図１７は、本発明の実施形態２の変形例６による情報処理装置を説明する図であり、無線給電システムに用いる給電用コイル（図１７（ａ））および受電用コイル（図１７（ｂ））を示している。
【０１８８】
この実施形態２の変形例６による情報処理装置は、実施形態２の変形例５による情報処理装置の非接触受電部６２０ｂにおける複数のコイルユニットの１つをカメラユニットに置き換えたものであり、その他の構成は実施形態２の変形例５の情報処理装置と同一である。
【０１８９】
つまり、この実施形態２の変形例６による情報処理装置の非接触受電部６２０ｃでは、複数のコイルユニット６２１ｋおよび１つのカメラユニット６２２ｃが全体としてマトリクス状に配列されている。
【０１９０】
このような構成の実施形態２の変形例６による情報処理装置では、実施形態２の変形例５の情報処理装置における効果に加えて、情報処理装置の非接触受電部６２０ｃではカメラユニットによる撮影が可能となる効果が得られる。
【０１９１】
なお、上記各実施形態では、本発明に係るフレキシブル配線基板として、情報処理装置に搭載した静電容量型タッチパネルに用いるフレキシブル配線基板（フレキシブルプリント基板）について具体的に説明しているが、本発明のフレキシブル配線基板は、少なくとも、情報の入力をタッチ操作により行うためのタッチ領域を有し、該タッチ領域上でのタッチ位置を検出する静電容量型タッチパネルを構成するフレキシブル配線基板であればよい。
【０１９２】
つまり、このように静電容量型タッチパネルをフレキシブル配線基板により構成することにより、タッチパネルを構成する電極および配線がフレキシブル配線基板の導体層により一体的に形成されることとなり、これにより、タッチパネルとフレキシブル配線基板との間での接続部分がなくなり、これらの間での接続不良の問題を解消するとともに、タッチ領域の周囲のタッチ入力ができない額縁部を狭くするという本発明の目的が達成される。
【０１９３】
また、上記各実施形態では、表示装置として液晶表示パネルを挙げているが、有機ＥＬ表示装置、電界放出型表示装置などのその他の表示装置でも本発明は適用可能であることは言うまでもない。
【０１９４】
つまり、本発明の情報処理装置は、該表示装置として、液晶表示パネル（液晶表示装置）、有機ＥＬ表示装置、電界放出型表示装置のいずれかを用いることができ、表示装置を薄型化したコンパクトで、しかもタッチパネルとの組み合わせが簡単な情報処理装置である。
【０１９５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１９６】
本発明は、フレキシブル配線基板および情報処理装置の分野において、タッチパネルとフレキシブルプリント基板との間での接続部分を無くして、これらの間での接続不良の問題を解消するとともに、筐体の、タッチ領域の周囲に位置する額縁部を狭くすることができるフレキシブル配線基板およびこのようなフレキシブル配線基板を用いたタッチパネル表示装置を備えた情報処理装置を実現することができる。
【０１９７】
また、本発明は、タッチパネルの搭載に伴う一次電池の消耗を抑制することができ、薄型化の阻害要因となる一次電池の容量増大を回避しつつ一次電池の電力不足を補うことができる情報処理装置を実現することができる。
【符号の説明】
【０１９８】
３  透光性基板
１１ａ〜１１ｆ  第１の電極ライン
１２ａ〜１２ｄ  第２の電極ライン
１３ａ、１３ｂ  第３の電極ライン
１４ａ、１４ｂ  第４の電極ライン
１５、１６  菱形電極（内側単位検知部）
１７、１８  三角電極（最外周単位検知部）
１９  交差部分
１００  タッチパネル表示部
１００ａ  筐体
１００ｂ  額縁部
１２１  増幅回路
１２２  信号選択部
１２３  Ａ／Ｄ変換部
１２６ａ  端部検出部
１２６ｂ  タッチレベル補正処理部
１２４  復号処理部
１２５  タッチ位置検出部
５００、５００ａ〜５００ｅ  タッチパネル表示装置
５０３  データバス
５０４、５０４ａ、５０４ｂ  タッチパネル本体
５０５  表示部
５０６  タッチパネル制御回路
５０７  表示制御部
５１４  タッチパネル用導体層
５１４ａ、５１４ａ１、５１４ａ２  タッチパネル電極部
５１４ｂ、５１４ｂ１、５１４ｂ２  タッチ信号配線部
５１４ｃ、５１４ｃ１、５１４ｃ２  タッチ信号引出部
５２１  システム制御部
５２２  無線送受信部
５２３  アンテナ
５２４  有線送受信部
５２５，５２５ａ  カメラモジュール（画像撮像用カメラ）
５２６  音声処理部
５２８  タイマ
５２９  メモリ
５２９ａ  制御プログラム記憶部
５２９ｂ  セキュリティー情報記憶部
５２９ｃ  一時情報記憶部
５３０  周辺回路
５３１  端子接続線
５３２  電源配線
５３３  ＴＰＩＣ実装パターン領域
５３４  接続領域
５５０、５５０ａ、５５０ｂ  タッチパネル
５６０  表示装置
６００  無線給電システム
６１０、６１０ｂ  非接触給電部
６１１、６１１ａ  給電用コイル
６１１ｋ、６２１ｋ  コイルユニット
６１２  交流電源
６２０、６２０ａ、６２０ｂ  非接触受電部
６２１  受電用コイル
６２１ａ  第１の受電用コイル
６２１ｂ  第２の受電用コイル
６２２  非接触充電器
６２２ｃ  カメラユニット
１０００、１０００ａ、１０００ｂ、１０００ｃ、２０００、２０００ａ、２０００ｂ  情報処理装置
５０４１  タッチ操作面
５０５１  画像表示面
５２７１  音声処理部
５２７２  集音部
ＢＬ  バックライトユニット
ＢＴ１、ＢＴ１ｃ  非接触充電対応のバッテリ
ＢＴ２、ＢＴ２ｃ  接触充電型電池（コンデンサ電池）
ＣＦＳ  カラーフィルタ基板（対向基板）
ＣＬ  電源コイル部
ＣＬ１  第１の電源コイル部
ＣＬ２  第２の電源コイル部
ＣＮＴＳ  制御回路基板
ＤＬ  ドライブライン
ＤＲＣ  液晶ドライバＩＣ
ＦＯＧ、ＦＯＧ１、ＦＯＧ２  接合部
ＦＰＣ、ＦＰＣ２、ＦＰＣ２ａ〜ＦＰＣ２ｃ、ＦＰＣ２ａ〜ＦＰＣ２ｃ  タッチパネル用フレキシブル基板（フレキシブル配線基板）
Ｌ１ａ〜Ｌ１ｆ、Ｌ２ａ〜Ｌ２ｄ、Ｌ３ａ、Ｌ３ｂ、Ｌ４ａ、Ｌ４ｂ  信号配線
Ｔ１ａ〜Ｔ１ｆ、Ｔ２ａ〜Ｔ２ｄ、Ｔ３ａ、Ｔ３ｂ、Ｔ４ａ、Ｔ４ｂ  信号引出線
ＬＣＰ  液晶パネル
ＳＰＰ  下側偏光版
ＳＨ  シール材
ＳＬ  センスライン
ＳＰＬＴ  スプロケット孔
ＴＦＴＳ  ＴＦＴ基板
ＴＰＥＰ  タッチパネル電極部
ＴＰＩＣ：タッチパネルコントローラＩＣ
ＵＰＰ  上側偏光版
ＵＲ１  第１のユニット構成領域
ＵＲ２  第２のユニット構成領域
Ｗｔ  貫通配線
【図１】
2014071472.tif 000003
【図２】
2014071472.tif 000004
【図３】
2014071472.tif 000005
【図４】
2014071472.tif 000006
【図６】
2014071472.tif 000007
【図７】
2014071472.tif 000008
【図９】
2014071472.tif 000009
【図１０】
2014071472.tif 000010
【図１１】
2014071472.tif 000011
【図１５】
2014071472.tif 000012
【図１６】
2014071472.tif 000013
【図１７】
2014071472.tif 000014
【図１８】
2014071472.tif 000015
【図１９】
2014071472.tif 000016
【図２０】
2014071472.tif 000017
【図５】
2014071472.tif 000018
【図８Ａ】
2014071472.tif 000019
【図８Ｂ】
2014071472.tif 000020
【図８Ｃ】
2014071472.tif 000021
【図１２】
2014071472.tif 000022
【図１３】
2014071472.tif 000023
【図１４】
2014071472.tif 000024